(57)【要約】製品ディスペンサ上のユーザインターフェースの一例のシステム及び方法をここに説明する。製品ディスペンサは、接触がタッチ注入ユーザインターフェース上で感知されている間、ある触覚フィードバックのパターンをユーザに提供するように構成されたタッチ注入ユーザインターフェースを含む。同時に、製品ディスペンサは、接触がタッチ注入ユーザインターフェース上で感知されている間、製品を分配するように構成されている。触覚フィードバックのパターンは、製品ディスペンサから分配される製品によって決まる。【選択図】図１
2021503136.tif 000002
【特許請求の範囲】
【請求項１】
製品ディスペンサのある面の第１の領域での選択を検知するように構成されたタッチセンサと、
前記面に連結され、前記タッチセンサが前記面の前記第１の領域での前記選択を検知している間、前記面にある触覚フィードバックのパターンを生じさせるように構成された触覚フィードバック変換器と、
前記タッチセンサが前記面の前記第１の領域での前記選択を検知している間、製品を分配するように構成されたノズルとを備える製品ディスペンサ。
【請求項２】
前記製品ディスペンサから分配される前記製品の選択を受信するように構成されたユーザインターフェースをさらに備える請求項１に記載の製品ディスペンサ。
【請求項３】
前記ユーザインターフェースが、タッチスクリーンディスプレイ、ボタン、又はレバーのうちの１つであり、前記タッチスクリーンにより前記製品のアイコンの選択が検知されると前記分配される製品の前記選択が受信され、前記ボタンが押圧されると前記分配される製品の前記選択が受信され、前記レバーを係合すると前記分配する製品の前記選択が受信される請求項２に記載の製品ディスペンサ。
【請求項４】
前記触覚フィードバックのパターンが前記製品に基づいている請求項１〜３のいずれか一項に記載の製品ディスペンサ。
【請求項５】
前記触覚フィードバック変換器が、第２の製品に対して前記面に第２の触覚フィードバックのパターンを生じさせるように構成された請求項４に記載の製品ディスペンサ。
【請求項６】
前記触覚フィードバック変換器が、リニア共振アクチュエータ、偏心モータ、又は圧電アクチュエータのうちの１つである請求項１〜５のいずれか一項に記載の製品ディスペンサ。
【請求項７】
前記触覚フィードバックのパターンが振動波又は圧力波として生じさせられる請求項１〜６のいずれか一項に記載の製品ディスペンサ。
【請求項８】
前記タッチセンサが、静電容量式タッチセンサ、抵抗タッチセンサ、ひずみゲージ、ボタン、又はスイッチのうちの１つである請求項１〜７のいずれか一項に記載の製品ディスペンサ。
【請求項９】
前記製品ディスペンサのフレームに連結された後方カバーと、
前記後方カバーに連結され、前記触覚フィードバック変換器と前記面との間に配置されたプリント基板と、
前記触覚フィードバック変換器と前記面との間に連結され、前記触覚フィードバックのパターンを前記触覚フィードバック変換器から前記面まで伝達するように構成された伝達板とを備える触覚フィードバックモジュールをさらに備え、
前記伝達板が前記後方カバー又はプリント基板と接触していない請求項１〜８のいずれか一項に記載の製品ディスペンサ。
【請求項１０】
前記プリント基板が前記プリント基板から前記後方カバーまで延びるボスと連結され、前記伝達板が前記ボスが通って延びる開口部を備える請求項９に記載の製品ディスペンサ。
【請求項１１】
前記面が、前記後方カバーに対して動けるように前記後方カバーに連結されている請求項９又は１０に記載の製品ディスペンサ。
【請求項１２】
前記面と前記後方カバーとの間に可撓性シールをさらに備える請求項１１に記載の製品ディスペンサ。
【請求項１３】
前記ユーザインターフェースが前記面上にある請求項２又は３に記載の製品ディスペンサ。
【請求項１４】
前記ユーザインターフェースが、前記面から物理的に離間している請求項２又は３に記載の製品ディスペンサ。
【請求項１５】
前記ノズルが、前記製品の複数の成分を分配するように構成された請求項１〜１４のいずれか一項に記載の製品ディスペンサ。
【請求項１６】
前記成分が飲料成分である請求項１５に記載の製品ディスペンサ。
【請求項１７】
前記製品ディスペンサの前記面の第２の領域での選択を検知するように構成された第２のタッチセンサをさらに備え、前記触覚フィードバック変換器が、前記タッチセンサ又は前記第２のタッチセンサのいずれかが前記面の前記第１の領域又は第２の領域での選択を検知している間、前記面に前記触覚フィードバックのパターンを生じさせるように構成された請求項１〜１６のいずれか一項に記載の製品ディスペンサ。
【請求項１８】
前記製品ディスペンサの前記面の第２の領域での選択を検知するように構成された第２のタッチセンサをさらに備え、前記触覚フィードバック変換器が、前記第２のタッチセンサが前記面の前記第２の領域での選択を検知している間、前記面に第２の触覚フィードバックのパターンを生じさせるように構成された請求項１〜１６のいずれか一項に記載の製品ディスペンサ。
【請求項１９】
後方カバーと、
後方カバーに連結されて筐体を形成する前方カバーであって、前記前方カバーがこれらの間で相対的に動けるように前記後方カバーに連結されている前記前方カバーと、
前記後方カバーに連結され、アクチュエータを含む触覚フィードバック変換器と、
ボスによって前記後方カバーと連結され、前記前方カバーと前記アクチュエータとの間に配置された電子機器モジュールと、
前記触覚フィードバック変換器の前記アクチュエータに連結され、前記前方カバーに連結され、前記ボスがこれを通って延びる開口部を備える伝達板とを備える触覚フィードバックユーザインターフェース。
【請求項２０】
前記前方カバーが、前記電子機器モジュールを過ぎて前記後方カバーに向かって延びるフランジを備え、前記伝達板が前記前方カバーの前記フランジに連結された請求項１９に記載の触覚フィードバックユーザインターフェース。
【請求項２１】
前記電子機器モジュールがディスプレイである請求項２０に記載の触覚フィードバックユーザインターフェース。
【請求項２２】
前記ディスプレイが、液晶ディスプレイ、有機液晶ディスプレイ、量子ドット液晶ディスプレイ、プラズマディスプレイ、又は発光ダイオードである請求項２１に記載の触覚フィードバックユーザインターフェース。
【請求項２３】
前記前方カバーが、これを通して前記ディスプレイを見るためにこの中に配置された透明な面を有する開口部を備える請求項２１又は２２に記載の触覚フィードバックユーザインターフェース。
【請求項２４】
前記透明な面に連結され、前記透明な面の接触を検知するように構成されたタッチセンサをさらに備える請求項２３に記載の触覚フィードバックユーザインターフェース。
【請求項２５】
前記タッチセンサが、静電容量式タッチセンサ、抵抗タッチセンサ、又はひずみゲージのうちの１つである請求項２４に記載の触覚フィードバックユーザインターフェース。
【発明の詳細な説明】
【技術分野】
【０００１】
関連出願の相互参照
本願は、２０１７年１１月１５日に提出された米国仮特許出願第６２／５８６，４９７号の利益を主張するものであり、その開示が参照によって明確に含まれる。
【背景技術】
【０００２】
背景
従来の混合後飲料分配システムは、一般に、シロップストリームをその外周を流れる水ストリームと共にノズルの中央から流し落とすことにより、シロップ、濃縮物、甘味料、ボーナスフレーバー、他種フレーバー、及び／又は他の成分のストリームを水又は他種希釈剤と共に混合するものである。シロップストリームは水ストリームと共に下方に向かい、消費者のカップの中に落下しながら混合される。飲料分配システムは全体として、可能な限り多くの異なる種類及びフレーバーの飲料を可能な限り小さい接地面積の中で提供することが求められている。飲料分配技術における最近の改良は、マイクロ成分の使用に重点を置いている。マイクロ成分により、従来の飲料ベースは大幅に高い希釈比又は再構成比でこれらの構成要素に分離し得る。
【０００３】
この技術は、高濃度のマイクロ成分を含有するカートリッジによって可能である。マイクロ成分は、正確な計量技術及び投与技術を用いて甘味料及び無炭酸水又は炭酸水と混合され、キャリーオーバーを防止するために空気中混合を促すノズルを通して分配される。この技術は、ユーザが所望の飲料を選択し、所望であればその飲料をカスタマイズし、ディスペンサでその飲料を注ぐためのユーザ入力を含む。これらの飲料は正確なレシピで作られ、カスタマイズに関係なく非常に美味な飲料を確かなものにしている。
【発明の概要】
【課題を解決するための手段】
【０００４】
概要
本開示の態様は、飲料ディスペンサのある面での選択を検知するように構成されたタッチセンサを備える製品ディスペンサを提供する。製品ディスペンサはまた、その面に連結され、タッチセンサがその面での選択を検知している間にその面にある触覚フィードバックのパターンを生じさせるように構成された触覚フィードバック変換器をも備える。製品ディスペンサはまた、タッチセンサがその面での選択を検知している間製品を分配するように構成されたノズルをも備える。
【０００５】
本開示のいくつかの態様において、製品ディスペンサはまた、製品ディスペンサから分配する製品の選択を受信するように構成されたユーザインターフェースをも備える。
【０００６】
本開示のいくつかの態様において、ユーザインターフェースは、タッチスクリーンディスプレイ、ボタン、又はレバーのうちの１つであり、タッチスクリーンによって製品のアイコンの選択が検知されると分配する製品の選択が受信され、ボタンが押圧されると分配する製品の選択が受信され、レバーが係合されると分配する製品の選択が受信されるものである。
【０００７】
本開示のいくつかの態様において、触覚フィードバックのパターンは製品に基づいている。本開示のいくつかの態様において、触覚フィードバック変換器は、第２の製品に対してその面に第２の触覚フィードバックのパターンを生じさせるように構成されている。
【０００８】
本開示のいくつかの態様において、触覚フィードバック変換器は、リニア共振アクチュエータ、偏心モータ、又は圧電アクチュエータのうちの１つである。
【０００９】
本開示のいくつかの態様において、その触覚フィードバックのパターンは、振動波又は圧力波として生じさせられる。
【００１０】
本開示のいくつかの態様において、タッチセンサは、静電容量式タッチセンサ、抵抗タッチセンサ、ひずみゲージ、ボタン、又はスイッチのうちの１つである。
【００１１】
本開示のいくつかの態様において、製品ディスペンサは触覚フィードバックモジュールをも備える。触覚フィードバックモジュールは、製品ディスペンサのフレームに連結された後方カバーを含む。触覚フィードバックモジュールは、後方カバーに連結され、触覚フィードバック変換器と面との間に配置されたプリント基板をも含む。触覚フィードバックモジュールは、触覚フィードバック変換器と面との間に連結され、その触覚フィードバックのパターンを触覚フィードバック変換器から面まで伝達するように構成され、後方カバー又はプリント基板に接触しない伝達板をも含む。
【００１２】
本開示のいくつかの態様において、プリント基板は、プリント基板から後方カバーに延びるボスに連結されており、伝達板はボスがこれを通って延びる開口部を備える。
【００１３】
本開示のいくつかの態様において、面は、後方カバーに対して動けるように後方カバーに連結されている。
【００１４】
本開示のいくつかの態様において、触覚フィードバックモジュールは面と後方カバーとの間に可撓性シールをも備える。
【００１５】
本開示のいくつかの態様において、ユーザインターフェースは面上にある。
【００１６】
本開示のいくつかの態様において、ユーザインターフェースは面から物理的に離間している。
【００１７】
本開示の態様は、後方カバー及び後方カバーに連結された前方カバーを備えて筐体を形成する触覚フィードバックユーザインターフェースを提供する。前方カバーは、これらの間で相対的に動けるように後方カバーに連結されている。触覚フィードバックユーザインターフェースは、後方カバーに連結された触覚フィードバック変換器をも備え、触覚フィードバック変換器はアクチュエータを含む。触覚フィードバックユーザインターフェースはまた、ボスによって後方カバーに連結され、前方カバーとアクチュエータとの間に配置された電子機器モジュールをも備える。触覚フィードバックユーザインターフェースは、触覚フィードバック変換器のアクチュエータに連結され、前方カバーに連結された伝達板をも備える。伝達板は、ボスがこれを通って延びる開口部を備える。
【００１８】
本開示のいくつかの態様において、前方カバーは、後方カバーに向かって電子機器モジュールを過ぎて延びるフランジを備える。伝達板は、前方カバーのフランジに連結されている。
【００１９】
本開示のいくつかの態様において、電子機器モジュールはディスプレイである。このディスプレイは、液晶ディスプレイ、有機液晶ディスプレイ、量子ドット液晶ディスプレイ、プラズマディスプレイ、又は発光ダイオードである。本開示のいくつかの態様において、前方カバーは、ディスプレイをこれを通して見るためにここに配置された透明な面を有する開口部を備える。本開示のいくつかの態様において、触覚フィードバックユーザインターフェースはまた、透明な面に連結され、透明な面の接触を検知するように構成されたタッチセンサをも備える。タッチセンサは、静電容量式タッチセンサ、抵抗タッチセンサ、ひずみゲージ、ボタン、又はスイッチのうちの１つである。
【００２０】
これらの特徴及び他の特徴は、添付の図面及び請求項と併せた以下の詳細な説明から、より明らかに理解されると思われる。
【００２１】
図面の簡単な説明
本開示のより完全な理解のため、添付の図面及び詳細な説明と関連させて、以下の簡単な説明について参照を行うが、ここにおいて同様の参照符号は同様の部品を表している。
【図面の簡単な説明】
【００２２】
【図１】図１は、本開示の種々の実施形態による典型の製品ディスペンサを示す。
【図２】図２は、製品ディスペンサを、製品選択ユーザインターフェース及びタッチ注入ユーザインターフェースの図と共に示す。
【図３】図３は、製品選択ユーザインターフェースに表示されるグラフィックユーザインターフェースを示す。
【図４】図４は、タッチ注入ユーザインターフェースに表示されるグラフィックユーザインターフェースを示す。
【図５】図５は、本開示の別の態様によるタッチ注入ユーザインターフェースを示す。
【図６】図６は、本開示の種々の実施形態によるタッチ注入ユーザインターフェースの断面図を示す。
【図７】図７は、本開示の種々の実施形態による製品ディスペンサに連結したタッチ注入ユーザインターフェースの断面図を示す。
【図８】図８は、本開示の種々の実施形態による製品ディスペンサに連結したタッチ注入ユーザインターフェースの正面斜視図を示す。
【図９】図９は、本開示の種々の実施形態による製品ディスペンサに連結したタッチ注入ユーザインターフェースの背面斜視図を示す。
【図１０】図１０は、典型の製品ディスペンサを、本開示の種々の実施形態による複数のノズルと共に示す。
【図１１】図１１は、本開示の種々の実施形態による複数のノズルのうちの１つの断面図を示す。
【図１２】図１２は、本開示のいくつかの実施形態を実行するのに適した典型の飲料ディスペンサシステムを示す。
【図１３】図１３は、典型の流体回路を、本開示のいくつかの実施形態を実施するのに適した容積式ポンプと共に示す。
【図１４】図１４は、典型の流体回路を、本開示のいくつかの実施形態を実施するのに適した静的機械式流量制御と共に示す。
【図１５】図１５は、典型の流体回路を、本開示のいくつかの実施形態を実施するのに適した動的機械式流量制御及び流量計と共に示す。
【図１６】図１６は、典型の流体回路を、本開示のいくつかの実施形態を実施するのに適した単一成分源からの複数の個別制御経路と共に示す。
【図１７】図１７は、本開示のいくつかの実施形態を実施するのに適した飲料ディスペンサの制御アーキテクチャの典型のブロック図を示す。
【図１８】図１８は、本開示のいくつかの実施形態を実施するのに適した典型のコンピュータシステムを示す。
【発明を実施するための形態】
【００２３】
詳細な説明
１つ以上の実施形態の実例的な実施を以下に説明するが、本開示のシステム及び方法は、現在周知であるか又は存在するかどうかに関わらず、いかなる数量の技術を用いても実施し得ることは、最初に理解する必要がある。本開示は、以下に説明する実例的な実施、図面、及び技術に限定されることは全くなく、これらの同等物の全範囲と共に添付の請求項の範囲内で変更し得るものである。語句「及び／又は」の使用は、選択肢リストのうちいずれか１つ又はこれらのいかなる組み合わせも使用可能であることを示す。例えば、「Ａ」、「Ｂ」、及び／又は「Ｃ」は、「Ａ」、又は「Ｂ」、又は「Ｃ」、又は「Ａ及びＢ」、又は「Ａ及びＣ」、又は「Ａ及びＢ及びＣ」を意味する。
【００２４】
ここで説明するのは、製品ディスペンサ上のユーザインターフェースの一例としてのシステム及び方法である。製品ディスペンサは、タッチ注入ユーザインターフェースで接触が感知されている間、ある触覚フィードバックのパターンをユーザに与えるように構成されたタッチ注入ユーザインターフェースを含む。同時に、製品ディスペンサは、その接触がタッチ注入ユーザインターフェースで感知されている間、製品を分配するように構成されている。触覚フィードバックのパターンは、製品ディスペンサから分配される製品によって決まる。
【００２５】
例えば、製品ディスペンサはさらに、分配を望む製品の選択を受信するように構成された製品選択ユーザインターフェースを含み得る。選択された製品によって異なる触覚フィードバックパターンがタッチ注入ユーザインターフェースに提供され得る。例えば、飲料ディスペンサでは、炭酸飲料を分配する際、タッチ注入ユーザインターフェースは、泡の感覚を与える第１の触覚フィードバックを提供し得る。非炭酸飲料を分配する際、タッチ注入ユーザインターフェースは、波又はさざ波の感覚を与える第２の触覚フィードバックを提供し得る。
【００２６】
種々の実施形態において、タッチ注入ユーザインターフェースは、選択されて分配する製品を表示するため、及び／又はユーザが表面に触れた際に感知するための、ユーザインターフェースの正面に面したディスプレイ又は他の電子モジュールを含む。ディスプレイ又は他の電子モジュールは、１つ以上のボスを介して製品ディスペンサに取り付けられ得る。ディスプレイ又は他の電子モジュールの後方には触覚フィードバック変換器が位置している。即ち、ディスプレイ又は他の電子モジュールは、触覚フィードバック変換器とその変換器が触覚フィードバックを与えることになる表面との間に位置している。従って、触覚フィードバック変換器に連結され、ディスプレイ又は電子モジュールに沿ってその周りに延長している伝達板が設けられている。伝達板は、１つ以上のボスがディスプレイ又は他の電子機器モジュールを支持するためにその中を通って延長する１つ以上の開口部を含み得る。このようにして、触覚フィードバック変換器は、ユーザインターフェース表面に連結されて触覚フィードバックをユーザに与え、これと同時にディスプレイ又は他の電子モジュールから振動的に分離している。ディスプレイ又は他の電子モジュールを触覚フィードバック変換器から振動的に分離すると、稼動寿命が向上し、ディスプレイ又は他の電子モジュールの故障モードが減少する。
【００２７】
ここに説明した製品ディスペンサは、飲料分配システム（Coca-Cola（登録商標）Freestyle（登録商標）、従来のファウンテンディスペンサ、又はマイクロ成分と併せた従来のファウンテンディスペンサなど）であり得る。飲料分配システムが水又は炭酸水及び１つ以上のフレーバー成分など複数の飲料成分を組み合わせ、完成飲料を作る。飲料分配システムは、１つ以上のマクロ成分（甘味料、水、又は炭酸水など）及び１つ以上のマイクロ成分（高甘味度甘味料、フレーバー、食用酸、又は添加物など）を含み得る。このようなマイクロ投入の機能性は、飲料分配システムの分配能力を高め、多種多様な飲料を提供し、飲料分配システムによって分配される飲料の品質を向上させ得る。
【００２８】
概して説明すると、マクロ成分は、最高濃度（希釈なし）から約６（６）対１（１）まで（しかし、一般には約１０（１０）対１（１）よりも少ない）の範囲で再構成比を有し得る。ここで使用したように、再構成比は、希釈剤（例えば、水又は炭酸水）の飲料成分に対する割合を指す。このため、再構成比５：１のマクロ成分は、完成飲料において１のマクロ成分毎に５の希釈剤で分配され混合されるマクロ成分のことを指す。多数のマクロ成分が、約３：１から５．５：１の範囲の再構成比を有し得るものであり、４．５：１、４．７５：１、５：１、５．２５：１、５．５：１、及び８：１の再構成比を含む。
【００２９】
マクロ成分は、シュガーシロップ、ＨＦＣＳ（「異性化糖」）、ＦＩＳ（「完全転化糖」）、ＭＩＳ（「中転化糖」）、栄養甘味料及び非栄養甘味料又は高甘味度の甘味料のブレンドからなる低カロリー甘味料、特に約３５〜４５゜Ｆの標準の飲料分配温度まで冷却させた後、約１０：１よりも高い濃度でポンプ注入し正確に計量することが難しい他の栄養甘味料などの甘味料を含み得る。エリトリトールは典型では、他の甘味源とブレンドされ、より高い再構成比で溶液にて使用されることから以下に説明するようにマイクロ成分として考慮され得るものであるが、エリトリトール甘味料は、飲料の主甘味源として使用される際のマクロ成分甘味料としても考慮され得る。
【００３０】
マクロ成分はまた、従来のＢＩＢ（「バッグインボックス」）フレーバーシロップ（例えば、COCA-COLAバッグインボックスシロップ）をも含み得るものであり、これは、分配時に希釈剤対シロップが約３：１から６：１までの比率で普通水又は炭酸水などの希釈剤源と混合されることになる完成飲料の甘味料、フレーバー、及び酸のすべてを含むものである。他の典型のマクロ成分は、濃縮抽出物、ピューレ、濃縮ジュース、乳製品又は乳濃縮物、大豆濃縮物、及び米濃縮物を含み得る。
【００３１】
マクロ成分はまた、マクロ成分ベースの製品をも含み得る。このようなマクロ成分ベースの製品は、甘味料の他、いくつかの一般的なフレーバー、酸、及び複数の種々の完成飲料の他の一般的な成分をも含み得る。しかし、希釈剤以外にさらに１つ以上の飲料成分（ここに説明したようなマイクロ成分又はマクロ成分のいずれか）がマクロ成分ベース製品と分配され混合されて、特定の完成飲料を作ることになる。即ち、マクロ成分ベースの製品は、第１のマイクロ成分の甘味料のないフレーバー成分と分配されて混合され、第１の完成飲料を作り得る。同一のマクロ成分ベースの製品は、第２のマイクロ成分の甘味料のないフレーバー成分と分配されて混合され、第２の完成飲料を作り得る。
【００３２】
上述のマクロ成分は、ディスペンサの中で、ディスペンサにおいて、及び／又はディスペンサから離れた位置で、従来のバッグインボックス容器に保存し得る。マクロ成分の粘度は、約１センチポアズから約１０，０００センチポアズまでの範囲に及び、冷却した際、通例約１００センチポアズを超え得るものである。他種のマクロ成分がここで使用し得る。
【００３３】
マイクロ成分は、約１０（１０）対１（１）以上の範囲に及ぶ再構成比を有し得る。具体的には、多数のマイクロ成分は、約２０：１から５０：１、１００：１、３００：１、又はこれ以上の範囲の再構成比を有し得る。マイクロ成分の粘度は、典型では、約１（１）から約６（６）センチポアズあたりまでの範囲に及ぶが、この範囲から逸脱し得る。場合により、マイクロ成分の粘度は、４０（４０）センチポアズ以下であることもある。マイクロ成分の例には、天然フレーバー又は人工フレーバー、フレーバー添加物、天然着色料又は人工着色料、人工甘味料（高有効性、非栄養性、又はその他のもの）、消泡剤、非栄養成分、酸味、例えばクエン酸又はクエン酸カリウムをコントロールする添加物、ビタミン、ミネラル、ハーブ抽出物、栄養補助食品などの機能性添加物が含まれ、プソイドエフェドリン、アセトアミノフェンなどの市販薬（又は他のもの）を超え、同様の種類の成分が含まれる。リン酸、クエン酸、リンゴ酸などの食用酸濃縮物、又はいかなる他のこのような一般の食用酸を含む様々な酸が、マイクロ成分において使用し得る。様々な種類のアルコールが、マクロ成分又はマイクロ成分のいずれかとして使用し得る。マイクロ成分は、液状、ガス状、又は粉末状（及び／又は水、有機溶媒、及び油脂を含む種々の媒体中の可溶性成分及び浮遊性成分を含むこれらの組み合わせ）であり得る。他種のマイクロ成分がここで使用し得る。
【００３４】
典型では、完成した飲料製品のマイクロ成分には、完成飲料のフレーバー成分を構成する別々に保存された無甘味料飲料成分濃縮物が含まれる。無甘味料飲料成分濃縮物の中には甘味のあるフレーバー成分又は甘味として感知されるフレーバー成分を有するものもあり得るが、無甘味料飲料成分濃縮物は完成飲料の主甘味料源として機能せず、添加された甘味料を含有しない。これらの無甘味料飲料成分濃縮物は、その全体がここに参照によって含まれる「酸及び酸分解性成分を含む組成物及び／又は複数の選択可能な成分を含む組成物を製造する方法及び装置(Methods and Apparatus for Making Compositions Comprising and Acid and Acid Degradable Component and/or Compositions Comprising a Plurality of Selectable Components)」と題する、共同所有の米国特許出願第１１／２７６，５５３号で説明したような、フレーバーの食用酸濃縮物成分及び食用酸分解性（又は非酸性）濃縮物成分を含み得る。上記のように、マイクロ成分は、約１０（１０）対１（１）以上の範囲に及ぶ再構成比を有し得るものであり、完成飲料のフレーバー成分を構成する別々に保存された無甘味料飲料成分濃縮物のマイクロ成分は、典型では、５０：１、７５：１、１００：１、１５０：１、３００：１以上の範囲に及ぶ再構成比を有する。
【００３５】
例えば、コーラ完成飲料の無甘味料フレーバー成分は、別々に保存された第１の無甘味料飲料成分濃縮物と第２の無甘味料飲料成分濃縮物とから提供され得る。第１の無甘味料飲料成分濃縮物は、リン酸など、コーラ完成飲料の食用酸濃縮物成分を含み得る。第２の無甘味料飲料成分濃縮物は、第１の無甘味料成分濃縮物の中に分けて保存されているリン酸又は他の食用酸濃縮物成分と共に保存されることになっている無甘味料飲料成分濃縮物の賞味期限及び保存可能期間に作用し影響を与えると思われるフレーバー油脂などの、コーラ完成飲料の食用酸分解性濃縮物成分を含み得る。第２の無甘味料飲料成分濃縮物は第１の無甘味料飲料成分濃縮物の食用酸濃縮物成分（例えば、リン酸）を含まないが、第２の無甘味料飲料成分濃縮物はそれでもなお高酸飲料成分溶液（例えば、ｐＨが４．６よりも低い）であり得る。
【００３６】
ある完成飲料は、その完成飲料の酸濃縮物成分以外のフレーバーの複数の無甘味料濃縮物成分を有し得る。例えば、チェリーコーラ完成飲料の無甘味料フレーバー成分は、チェリー無甘味料成分濃縮物の他に、上記の例で説明した別々に保存された無甘味料飲料成分濃縮物から提供され得る。チェリー無甘味料成分濃縮物は、チェリーコーラ完成飲料のレシピと一致する量で分配され得る。このようなレシピは、チェリー無甘味料成分濃縮物を含む他の完成飲料の他のレシピよりも、より多い量のチェリー無甘味料成分濃縮物、より少ないの量チェリー無甘味料成分濃縮物、又はこれと同量のチェリー無甘味料成分濃縮物を有し得る。例えば、チェリーコーラ完成飲料のレシピに指定されたチェリーの量は、チェリーレモンライム完成飲料のレシピに指定されたチェリーの量よりも多いこともあり得るものであり、完成飲料バージョンにそれぞれ最適な味覚プロファイルを提供している。完成飲料のこのようなレシピに基づくフレーバーバージョンは、以下に説明するようなフレーバー添加物ショット又はフレーバーショットの添加と対照をなすものである。
【００３７】
完成飲料製品の他の典型のマイクロ成分は、マイクロ成分甘味料を含み得る。マイクロ成分甘味料は、アスパルテーム、Ace-K、ステビオール配糖体（例えば、Reb A、Reb M）、スクラロース、サッカリン、又はこれらの組み合わせなどの高甘味度甘味料を含み得る。マイクロ成分甘味料は、１つ以上の他の甘味料源と組み合わせて分配される際、又はエリトリトールと１つ以上の高甘味度甘味料とのブレンドを単一の甘味料源として用いる際、エリトリトールをも含み得る。
【００３８】
完成飲料製品を補う他の典型のマイクロ成分には、マイクロ成分フレーバー添加物が含まれ得る。マイクロ成分フレーバー添加物は、ベース飲料フレーバーに添加可能な追加フレーバーの選択肢を含み得る。マイクロ成分フレーバー添加物は、無甘味料飲料成分濃縮物であり得る。例えば、ベース飲料がコーラフレーバーの飲料であり得るが、チェリー、ライム、レモン、オレンジ等が、フレーバーショットとして時折言及されるフレーバー添加物として、コーラ飲料に添加され得る。完成飲料のレシピに基づいたフレーバーバージョンと対照的に、完成飲料を補うために添加されるマイクロ成分フレーバー添加物の量は、種々の完成飲料の間で一貫し得る。例えば、コーラ完成飲料の中にフレーバー添加物又はフレーバーショットとして含まれるチェリー無甘味料成分濃縮物の量は、レモンライム完成飲料の中にフレーバー添加物又はフレーバーショットとして含まれるチェリー無甘味料成分濃縮物の量と同量であり得る。また、完成飲料のレシピに基づくフレーバーバージョンは単一の完成飲料選択アイコン又はボタン（例えば、チェリーコーラアイコン／ボタン）によって選択可能であるが、フレーバー添加物又はフレーバーショットは、完成飲料選択アイコン又はボタンに加えた追加選択である（例えば、コーラアイコン／ボタン選択の後にチェリーアイコン／ボタン選択が続く）。
【００３９】
一般に理解されているように、このような飲料選択は、飲料ディスペンサ上のタッチスクリーンユーザインターフェース又は他の典型の飲料ユーザインターフェース選択機構（例えば、ボタン）によってなされ得る。選択された飲料は、選択されたいかなるフレーバー添加物をも含め、その後、タッチスクリーンユーザインターフェース上の別個の供給ボタンによって、又は注入ボタン（電気機械のもの、静電容量式タッチ、又はこの他のもの）又は注入レバーなどの別個の注入機構による相互作用によって、さらなる分配コマンドを受けて飲料ディスペンサ上で分配され得る。
【００４０】
完成飲料の従来のＢＩＢフレーバーシロップの分配では、完成飲料の甘味料、フレーバー、及び酸をすべて含有するマクロ成分フレーバーシロップが、普通水又は炭酸水などの希釈剤源と約３：１から６：１までの希釈剤対シロップの割合で混合される。対照的に、完成飲料のマイクロ成分の分配については、完成飲料の甘味料及び無甘味料飲料成分濃縮物はすべて別々に保存され、完成飲料が分配される際にノズルの周りで共に混合される。このようなマイクロ成分を分配するのに適した一例としてのノズルには、「分配ノズルアセンブリ」と題する共同所有の米国仮特許出願第６２／４３３，８８６号、「共通分配ノズルアセンブリ」と題するＰＣＴ特許出願第ＰＣＴ／ＵＳ１５／０２６６５７号、「分配ノズルアセンブリ」と題する米国特許第７，８６６，５０９号、又は「分配ノズルアセンブリ」と題する米国特許第７，５７８，４１５号に説明したノズルが含まれ、これらは全体が参照によってここに含まれる。
【００４１】
運転中、飲料ディスペンサは、上述のマクロ成分源又はマイクロ成分源のうちいずれか１つ以上から完成飲料を分配し得る。例えば、ある完成飲料の従来のＢＩＢフレーバーシロップの供給と同様に、マクロ成分フレーバーシロップが普通水又は炭酸水などの希釈剤源と共に分配され、完成飲料を作り得る。また、従来のＢＩＢフレーバーシロップは、希釈剤及び１つ以上のマイクロ成分フレーバー添加物と共に分配され、飲料ディスペンサによって提供される飲料の多様性を増大させ得る。
【００４２】
マイクロ成分ベースの完成飲料は、甘味料及び希釈剤と共に、完成飲料の２つ以上の無甘味料飲料成分濃縮物をそれぞれ別々に分配することによって分配され得る。甘味料はマクロ成分甘味料及び／又はマイクロ成分甘味料であり得るものであり、希釈剤は水及び／又は炭酸水であり得る。例えば、マイクロ成分ベースのコーラ完成飲料は、リン酸などのコーラ完成飲料の食用酸濃縮物成分、フレーバー油脂などのコーラ完成飲料の食用酸分解性濃縮物成分、ＨＦＣＳなどのマクロ成分甘味料、及び炭酸水を別々に分配することにより分配され得る。別の例では、マイクロ成分ベースのダイエットコーラ完成飲料は、ダイエットコーラ完成飲料の食用酸濃縮物成分、ダイエットコーラ完成飲料の食用酸分解性濃縮物成分、アスパルテーム又はアスパルテームブレンドなどのマイクロ成分甘味料、及び炭酸水を別々に分配することにより分配され得る。さらなる例として、低カロリーマイクロ成分ベースのコーラ完成飲料は、低カロリーコーラ完成飲料の食用酸濃縮物成分、低カロリーコーラ完成飲料の食用酸分解性濃縮物成分、減量したマクロ成分甘味料、減量したマイクロ成分甘味料、及び炭酸水を別々に分配することにより分配され得る。減量したマクロ成分甘味料及びマイクロ成分甘味料によって、コーラ完成飲料及びダイエットコーラ完成飲料に使用されるマクロ成分甘味料又はマイクロ成分甘味料の量の比較を意味している。最後の一例として、チェリーコーラ飲料又はオレンジフレーバーショットを入れたコーラ飲料など、補助フレーバーマイクロ成分ベースの飲料が、フレーバーコーラ完成飲料の食用酸濃縮物成分、フレーバーコーラ完成飲料の食用酸分解性濃縮物成分、１つ以上の無甘味料マイクロ成分フレーバー添加物（完成飲料のレシピに基づくフレーバーバージョン又はフレーバーショットのいずれかとして分配される）、甘味料（マクロ成分甘味料、マイクロ成分甘味料、又はこれらの組み合わせ）、及び炭酸水を別々に分配することにより分配され得る。上記の例は炭酸飲料について挙げたものであるが、これらは炭酸水の代わりに普通水を使用することによって無炭酸飲料に適用される。
【００４３】
様々な成分は、適切な成分（例えば、所定の比率）が飲料の一定の流量に対して適切な割合で分配される継続注入モードで、飲料ディスペンサによって分配され得る。即ち、所定量の成分が組み合わされる従来のバッチ運転とは反対に、飲料ディスペンサは、いかなる量の注入に対しても、正しい割合の成分で継続的に混合して流すことを提供する。この継続的な混合及び流入方法は、飲料の各サイズに対して所定の分配時間を設定することにより、飲料サイズボタンを選択することにより選択された特定のサイズの飲料を分配することにも適用され得る。
【００４４】
他の飲料ディスペンサ、製品ディスペンサ、又はタッチ運転装置は、本明細書を通して説明したユーザインターフェースを用いて運転され得る。
【００４５】
図１は、本開示の種々の実施形態による典型の製品ディスペンサ１００を示す。図示するように、製品ディスペンサ１００は飲料ディスペンサである。製品ディスペンサ１００は、製品選択ユーザインターフェース１０２、タッチ注入（ＴＴＰ）ユーザインターフェース１０４、及びノズル１０６を含む。製品選択ユーザインターフェース１０２は、製品ディスペンサ１００から分配される複数の選択可能な製品の選択肢を提供している。ＴＴＰユーザインターフェース１０４は、ユーザの表面への接触を検知するか又はユーザが現在その表面を接触していることを検知するように構成されたタッチセンサを有する表面を提供している。タッチセンサは、その表面がすでに接触されていないという時を検知するようにも構成されている。ＴＴＰユーザインターフェース１０４は、製品選択ユーザインターフェース１０２とは異なるユーザインターフェースである。ノズル１０６は、製品ディスペンサ１００の運転により製品選択ユーザインターフェースで選択された製品を分配するように構成されている。
【００４６】
運転中、ＴＴＰユーザインターフェース１０４が表面への接触を検知すると、製品ディスペンサ１００は、その接触が表面で維持されている間、製品選択ユーザインターフェースで選択された製品をノズル１０６から分配するように動作する。ノズル１０６は、製品ディスペンサ１００の運転中に選択された製品又は選択された製品の１つ以上の構成成分を分配し得る。例えば、製品ディスペンサ１００が飲料ディスペンサである場合、飲料ディスペンサは、ノズル１０６から複数の飲料成分を分配するための１つ以上のポンプ及び／又はバルブを操作し、選択された飲料を分配する。
【００４７】
図１〜３は、製品選ンターフェース１０２がタッチスクリーンディスプレイであることを示している。タッチスクリーンディスプレイは、複数の製品選択アイコン１１４、１１６を含むグラフィックユーザインターフェース１０８を表示するように構成されている。例えば、図３に示すように、製品選択アイコン１１４、１１６はそれぞれ、ある飲料ブランドの異なるフレーバーのバリエーションを示している。グラフィックユーザインターフェース１０８は、図３に図示した飲料ブランドのラズベリーフレーバーバリエーションなどのように、現在選択されている製品を示すためにハイライト１１２をも示す。
【００４８】
実施によっては、グラフィックユーザインターフェース１０８の選択可能なアイコン１１４、１１６が、異なるフレーバー添加物を示し得るものもある。例えば、特定のブランドの製品が別のグラフィックユーザインターフェーススクリーンで選択されると、グラフィックユーザインターフェース１０８は、複数の製品選択アイコン１１４、１１６を、前回のグラフィックユーザインターフェーススクリーンで選択されたそのブランドの製品に追加できる種々のフレーバー添加物と共に示し得る。実施によっては、フレーバー添加物のないブランド製品のアイコンがデフォルトでハイライトと共に示され得るものもある。実施によっては、グラフィックユーザインターフェーススクリーン１０８にフレーバー添加物アイコン１１４、１１６のみが表示され得るものもある。１つ以上のフレーバー添加物アイコン１１４、１１６が選択されると、ハイライト１１２はフレーバー添加物が選択されたことを示し得る。２つ以上のフレーバー添加物が同時に選択され得る。
【００４９】
グラフィックユーザインターフェース１０８は、１つ以上の他のスクリーンに案内するための他の選択可能なアイコンを含み得る（不図示）。製品ファミリーアイコン１１８は、関連製品の複数の製品選択アイコン１１４、１１６を有する別のスクリーンへの迅速な案内を提供する。例えば、製品ファミリーアイコン１１８は、図示のブランドの飲料に対応する対応ゼロカロリーブランド飲料を表示している。図３は単一の製品ファミリーアイコン１１８を表示しているが、３つ以上の製品を有する製品ファミリーのために、複数の製品ファミリーアイコンがグラフィックユーザインターフェースの同一の領域に提示され得る。案内アイコン１１９が、ホームスクリーン又は前スクリーンなどのグラフィックユーザインターフェース１０８の別のスクリーンに案内する。他の選択可能なアイコンが、グラフィックユーザインターフェース１０８に提示され得る。
【００５０】
製品選択ユーザインターフェース１０２は、タッチスクリーンディスプレイ以外の形式を取り得る。例えば、製品選択ユーザインターフェース１０２は、ディスプレイに表示されたアイコンに対応する位置に、ディスプレイの外側に位置するディスプレイのベゼル又はその他のものに沿った１つ以上のボタンを有する簡素なディスプレイであり得る。製品選択ユーザインターフェース１０２は単に、いずれのボタンがいずれの製品に対応するかということを示した行列、列、群、又は他の分布のボタンであり得る。例えば、ボタンに隣接して配置された製品プラカードがその表示を提供し得る。他の画像、表示又は提示が使用し得る。レバー、トグル、又は他のそのようなユーザインターフェース機構など、他の製品選択機構が使用し得る。
【００５１】
図１〜２及び図４は、ＴＴＰユーザインターフェース１０４がタッチセンサ式ディスプレイであることを示している。実施によっては、タッチセンサ式ディスプレイはタッチスクリーンであるものもある。実施によっては、タッチセンサ式ディスプレイは、透明なビューポータルを有するタッチセンサ面、及びこのビューポータルを通して見ることができる別個のディスプレイ電子モジュールで構成されているものもある。これにより、ディスプレイ電子モジュールは、製品選択ユーザインターフェース１０２で選択された製品に対応する画像１２０を表示するためにタッチセンサ面の後方に配置され得る。この実施では、タッチセンサ面にタッチセンサが連結されており、タッチセンサ面を通して見ることができるディスプレイ電子モジュールとは異なるものである。タッチセンサは、静電容量式タッチセンサ、抵抗タッチセンサ、ひずみゲージ、ボタン、スイッチ、又はユーザがタッチセンサ面に接触している間の接触を検知可能な他のいかなる装置でもあり得る。ディスプレイ電子モジュールは、液晶ディスプレイ、有機液晶ディスプレイ、量子ドット液晶ディスプレイ、又はプラズマディスプレイであり得る。他のタッチセンサ及びディスプレイモジュールが使用し得る。
【００５２】
タッチセンサ式ディスプレイは、グラフィックユーザインターフェース１１０を、製品選択ユーザインターフェース１０２で選択された製品に対応する画像１２０と共に表示するように構成されている。例えば、製品選択ユーザインターフェース１０２において製品選択アイコン１１４を選択すると、画像１２０は製品選択アイコン１１４に対応するように変更し得る。製品選択ユーザインターフェース１０２において異なる製品選択がなされると、画像１２０が異なる製品選択に対応するように変化することになる。例えば、製品選択アイコン１１６を次に選択すると、画像１２０は製品選択アイコン１１６に対応するように変化する。ある製品が製品選択ユーザインターフェース１０２から選択されたことを示すために、他の画像１２０が使用され得る。
【００５３】
図５は、本開示の別の態様によるタッチ注入（ＴＴＰ）ユーザインターフェース１２２を示す。ＴＴＰユーザインターフェース１２２は、ＴＴＰユーザインターフェース１０４の代わりに使用可能である。製品選択ユーザインターフェース１０２で選択された製品に対応する画像を表示できるディスプレイを有するよりもむしろ、ＴＴＰユーザインターフェース１２２は１つ以上の静止画像が描写される前面１２４を有する。例えば、静止画像は、前面１２４に描かれたもの、印刷されたもの、貼り付けられたもの、又は他の方法で配置されたものであり得る。前面１２４にはタッチセンサが連結されている。タッチセンサは、静電容量式タッチセンサ、抵抗タッチセンサ、ひずみゲージ、ボタン、スイッチ、又はユーザがタッチセンサ面に接触している間の接触を検知可能な他のいかなる装置でもあり得る。
【００５４】
前面は、発光ダイオードによって後方から照らされ得る１つ以上の領域１２６、１２８、１３０をも有し得る。このため、発光ダイオード電子モジュール又は他の発光電子モジュールが、１つ以上の領域１２６、１２８、１３０を照らすように面１２４の後方に配置され得る。
【００５５】
実施によっては、異なる色の発光ダイオードが、領域１２６、１２８、１３０に特定の色の照明を提供し得るものもある。実施によっては、領域１２６、１２８、１３０はそれぞれ、製品選択ユーザインターフェース１０２で選択された製品に基づく個別の色によって照らされ得る。例えば、アイコン１１４の選択など、製品選択ユーザインターフェース１０２でレモンライム飲料製品をラズベリーフレーバーと共に選択すると、領域１２６は緑色の光によって照らされ、領域１３０は赤い光によって照らされ得る。他の色及び領域の照明が使用し得る。
【００５６】
図６は、本開示の様々な実施形態によるＴＴＰユーザインターフェース１０４の断面図を示す。ＴＴＰユーザインターフェース１０４は、前方カバー６０４に連結された後方カバー６０２を含み、これらの間で筐体６０５を形成している。前方カバー６０４は、前方カバー６０４の前面から後方カバー６０２へ向かって延びるフランジ６０６を含む。前方カバー６０４は、後方カバー６０２と前方カバー６０４のフランジ６０６との間の交差部分６０８の地点で可撓性シール（不図示）によってこれらの間を相対的に動けるように後方カバーと連結されている。可撓性シールは、前方カバー６０４が後方カバー６０２に対して動くことを可能にし、前方カバー６０４を後方カバー６０２に貼り付け、周囲の状態から筐体６０５を密閉するという多数の目的を果たしている。例えば、製品ディスペンサ１００が飲料ディスペンサである場合、可撓性シールは液体が筐体６０５に浸入するのを防ぐ。１０〜５００Ｈｚなどの触覚フィードバック振動の振動数で前方カバー６０４が後方カバー６０２に対して動くことを可能にする十分なデュロメータを有するいかなるシール及び／又は接着剤も使用し得る。
【００５７】
前方カバー６０４及び後方カバー６０２は、いかなる材料からも作られ得る。実施によっては、前方カバー６０４及び後方カバー６０２は射出成形された部品であり得る。実施によっては、前方カバー６０４は、触覚フィードバック振動をより効率的に伝達させるために、射出成形された部品よりも剛性の高い部品を提供する型打ちの金属片であり得る。
【００５８】
前方カバー６０４は、ディスプレイ電子モジュール６１２を見るためのビューウインドウを提供する透明なビューポータル６１０を含む。ディスプレイ電子モジュール６１２は、液晶ディスプレイ、有機液晶ディスプレイ、量子ドット液晶ディスプレイ、又はプラズマディスプレイであり得る。
【００５９】
ビューポータル６１０は、ビューポータル６１０の外周に沿って前方カバー６０４から前方カバー６０４の中心に向かって延びるフランジ６１１に沿って前方カバー６０４に貼り付けられている。ビューポータル６１０は、ビューポータル６１０をフランジ６１１に粘着させるか、接着させるか、レーザー溶接するか、ねじで締めるか、又は他の方法で貼り付けることによりフランジ６１１に貼り付けられ得る。１つ以上のシールが、ビューポータル６１０と前方カバー６０４及び／又はフランジ６１１との間に存在し得る。ビューポータル６１０がどのように前方カバー６０４に貼り付けられているかどうかにかかわらず、筐体６０５の完全性は維持されている。例えば、製品ディスペンサ１００が飲料ディスペンサである場合、ビューポータル６１０は前方カバー６０４に貼り付けられ、いかなる液体も筐体６０５に浸入するのを防いでいる。ビューポータル６１０は、フランジ６１１がビューポータル６１０を通して見えないように、フランジ６１１の位置にあるビューポータル６１０の外周に沿って、黒く塗られた細長い一片などのマスキングを有し得る。
【００６０】
ディスプレイ電子モジュール６１２は、これらの間に延びる複数のボス６１４を介して後方カバー６０２に貼り付けられている。ボス６１４は、後方カバー６０２に対して固定された位置でディスプレイ電子モジュール６１２を保持している。ディスプレイ電子モジュール６１２は、後方カバー６０２に向かって延び、ディスプレイ電子モジュール６１２に対して固定された位置でプリント基板（ＰＣＢ）６１８を貼り付ける複数のボス６１６をも有し得る。
【００６１】
ＰＣＢ６１８は、触覚フィードバックドライバ６２４に制御信号及び／又は電力を供給する制御ケーブル６２０に電気的に連結されている。ＰＣＢ６１８はまた、ディスプレイ電子モジュール６１２の運転を駆動するために制御信号及び／又は電力を供給するための制御ケーブル６２２にも電気的に連結されている。ＰＣＢ６１８はまた、製品ディスペンサ１００のコントローラ（不図示）から中央制御信号及び／又は電力を受信するための中央制御ケーブルにも電気的に連結されている。例えば、ＰＣＢ６１８は、ディスプレイ電子モジュール６１２に画像１２０を表示するために製品ディスペンサ１００のコントローラから中央制御信号を受信する。ＰＣＢ６１８はまた、触覚フィードバックドライバ６２４を制御するために製品ディスペンサ１００のコントローラから中央制御信号を受信し、ＴＴＰユーザインターフェース１０４上の触覚フィードバックを作成する。
【００６２】
ＰＣＢ６１８は、ビューポータル６１０への接触を感知するためのタッチセンサ（不図示）又は前方カバー６０４に配置された１つ以上のボタンなど、ＴＴＰユーザインターフェース１０４における１つ以上の他の電子機器とも電気的に連結され得る。タッチセンサは、静電容量式タッチセンサ、抵抗タッチセンサ、ひずみゲージ、ボタン、スイッチ、又はユーザがビューポータル６１０又は前方カバー６０４に接触している間に接触を検知できる他のいかなる装置でもあり得る。
【００６３】
実施によっては、ディスプレイ電子モジュール６１２は静電容量型タッチスクリーンディスプレイである。このような実施では、タッチスクリーンディスプレイの感度は、ビューポータル６１０への接触の検知を可能にするように調整され得る。同時に、タッチスクリーンディスプレイは、接触が、ディスプレイ電子モジュール６１２においてビューポータル６１０又は前方カバー６０４により接触されたものとならないように、ビューポータル６１０から十分に離間される。
【００６４】
ＰＣＢ６１８は、接触を検知すると、製品ディスペンサ１００のコントローラにフィードバックを提供し、製品ディスペンサ１００の運転を制御する。例えば、接触が検知されたというフィードバックをＰＣＢ６１８から受信すると、製品ディスペンサ１００のコントローラは製品を分配するように動作し得る。同様に、接触が検知されたというフィードバックをＰＣＢ６１８から受信すると、製品ディスペンサ１００はＰＣＢ６１８に制御信号を送信し、触覚フィードバックドライバ６２４にＴＴＰユーザインターフェース１０４上の触覚フィードバックを生じさせ得る。即ち、触覚フィードバックドライバ６２４は、接触が検知されている間、触覚フィードバックがＴＴＰユーザインターフェース１０４に提供されるように調整される。接触が検知されなくなった際、触覚フィードバックは停止する。
【００６５】
触覚フィードバックドライバ６２４は、発泡テープ６２４によって後方カバー６０２に貼り付けられ得る。実施によっては、触覚フィードバックドライバ６２４の２つ以上の辺が発泡テープ６２４によって後方カバー６０２に貼り付けられ得る。発泡テープ６２４は、後方カバー６０２に対して固定された位置で触覚フィードバックドライバ６２４を保持し、触覚フィードバックドライバ６２４からのいかなる振動も後方カバー６０２に伝達することを隔絶している。
【００６６】
触覚フィードバックドライバ６２４は、触覚フィードバックアクチュエータ６２８を駆動して触覚フィードバックを生じさせる。触覚フィードバックドライバ６２４及び触覚フィードバックアクチュエータ６２８は、触覚フィードバック変換器として総称され得る。触覚フィードバック変換器は、リニア共振アクチュエータ、偏心モータ、又は圧電アクチュエータであり得る。触覚フィードバック変換器は、振動波又は圧力波のパターンを発生させて触覚フィードバックを提供する。触覚フィードバック変換器は、空気渦のパターンを生じさせ得る。例えば、触覚フィードバック変換器がリニア共振アクチュエータ（ＬＲＡ）である場合、触覚フィードバックドライバ６２４は、振動の軸に沿ってリニアフィードバックアクチュエータ６２８を駆動するように構成された磁気コイルを備え得る。図６に示した方向において、振動軸は前方カバー６０４から後方カバー６０２へと延びる軸である。
【００６７】
実施によっては、触覚フィードバック変換器がＬＲＡである場合、ＬＲＡは、製品ディスペンサ１００のスピーカーを作動するようにも駆動され得る。即ち、ＬＲＡは、触覚フィードバックを提供する周波数及びパターンで駆動されることに加え、聴覚フィードバックをユーザに提供するための周波数及びパターンで駆動され得る。このような実施では、前方カバー６０４は、聴覚音波を発生させるように聴覚フィードバックによって振動する。ＬＲＡは、接触がＴＴＰユーザインターフェース１０４によって検知されていない時、聴覚フィードバックで駆動されるのみであり得る。聴覚フィードバックが提供されている場合、接触を検知すると、その聴覚フィードバックは停止する。
【００６８】
触覚フィードバックアクチュエータ６２８は伝達板６３０に連結され、これは次に前方カバー６０４に連結されている。例えば、伝達板６３０は、前方カバー６０４に接着されるか、付着されるか、ねじで締められるか、又は他の方法で貼り付けられ、これらの間の相対的な運動を防いでいる。伝達板は、射出成形された部品又は型打ちした金属部品であり得る。図６に示すように、伝達板６３０は、接続点６３２において、前方カバー６０４のフランジ６０６の裏面と連結されている。伝達板６３０は、フランジ６０６の裏面の中へと延びる振動軸に沿う１つ以上の突起部を含み得る。このように、触覚フィードバックアクチュエータ６２８で発生させた触覚フィードバックは、伝達板６３０によって前方カバー６０４に伝達される。ビューポータル６１０は前方カバー６０４に貼り付けられているため、触覚フィードバックは同様にビューポータル６１０に伝達される。図６に示すように、水平のハッシングをかけたＴＴＰユーザインターフェース１０４の部品はすべて、触覚フィードバックアクチュエータ６２８の動作中に動かない固定部品である。斜め方向のハッシングをかけた部品はすべて、触覚フィードバックアクチュエータ６２８によって発生した触覚フィードバックと共に振動する。
【００６９】
図７〜９は、本開示の種々の実施形態による製品ディスペンサ１００に連結されたＴＴＰユーザインターフェース１０４の図を示す。ＴＴＰユーザインターフェース１０４は製品ディスペンサ１００に連結される際、後方カバー６０２が製品ディスペンサ１００のフレーム６４２に貼り付けられ得る。フレーム６４２は、これを通して後方カバー６０２の少なくとも一部を受け入れるような寸法と形状の開口部をその中に有する領域６４４を含む。ねじ６４０はフレーム６４２を通って延び、後方カバー６０２のねじ込み取り付け穴部６３８（図６に最良に示す）に貼り付けられている。このように、後方カバー６０２は、製品ディスペンサ１００のフレーム６４２に強固に固定されている。
【００７０】
ＴＴＰユーザインターフェース１０４が製品ディスペンサ１００に連結される際、製品ディスペンサ１００の面６３４は前方カバー６０４に接近し得るため、狭小の隙間６３６がこれらの間に形成される。後方カバー６０２は製品ディスペンサ１００のフレーム６４２に固定されているため、前方カバー６０４は後方カバー６０２に対して動き、これにより同様に前方カバー６０４は製品ディスペンサ１００に対して動く。触覚フィードバック又は聴覚フィードバックが提供されている間、前方カバー６０４が製品ディスペンサ１００の面６３４に対して音を立てることを防ぐために、前方カバー６０４の裏面と製品ディスペンサ１００の面６３４との間に圧縮性及び可撓性のあるガスケットが提供され得る。前方カバー６０４と製品ディスペンサの面６３４との間のガスケットは、聴覚フィードバック又は触覚フィードバックによって前方カバー６０４を振動させると同時に、前方カバー６０４が製品ディスペンサ１００の面６３４と接触するのを防いでいる。このため、ユーザがＴＴＰユーザインターフェース１０４のビューポータル６１０に接触した場合でさえも、前方カバー６０４は製品ディスペンサの面６３４に接触することがない。
【００７１】
図１０は、本開示の種々の実施形態による典型の製品ディスペンサ１０００を示す。様々な製品を分配する単一のノズルを有する製品ディスペンサ１００とは対照に、製品ディスペンサ１０００は、複数のノズル１００２ａ〜１００２ｅを有し、集合的に又は複数でノズル１００２として言及する。ノズル１００２の中には、ノズル１００２ａ、１００２ｃなどのように単一製品ノズルであり得るものもあり、ノズル１００２ｂなどのように複数製品ノズル１００２であり得るものもある。製品ディスペンサ１０００が飲料ディスペンサである場合、単一製品ノズルは単一製品バルブであり、複数製品ノズル１００２は複数フレーバーバルブである。ノズル１００２は、接触面としての役割を果たす前面１００４ａなどの前面１００４を有する。前面１００４はそれぞれタッチセンサを含む。
【００７２】
前面の種々のものにおいて、タッチセンサは、ポーションコントロールサイズボタン１００６、製品選択ボタン１００８、又は分配ボタン１０１０などのボタンである。タッチセンサについても、上述のようなタッチスクリーン又はタッチセンサ式ディスプレイ１０１２であり得る。例えば、タッチセンサ式ディスプレイ１０１２は、透明なビューポータル面の背後に収容されたディスプレイ又はタッチスクリーンディスプレイであり得る。タッチセンサは、前面１０１４に単に貼り付けられたタッチセンサであり得る。例えば、前面１０１４は、ノズル１００２ｅから分配される製品の印刷画像又はプラカードを有し得る。前面１０１４の後ろ側にはタッチセンサが貼り付けられ得る。タッチセンサは、静電容量式タッチセンサ、抵抗タッチセンサ、ひずみゲージ、又はユーザが前面１０１４に接触している間に接触を検知可能な他のいかなる装置であり得る。他のバリエーションのタッチセンサが使用され得る。異なるタッチセンサをノズル１００２の種々のノズルに図示したが、複数のノズルが同種のタッチセンサを利用することは考えられることである。
【００７３】
図１１は、本開示の種々の実施形態による複数のノズル１００２の１つの断面図を示す。上述のＴＴＰユーザインターフェース１０４を用いたように、ノズル１００２は、触覚フィードバックドライバ１０１６及び触覚フィードバックアクチュエータ１０１８を含む。触覚フィードバックドライバ１０１６は、接触が検知されている間、触覚フィードバックアクチュエータ１０１８を駆動してノズル１００２の前面に触覚フィードバックを提供する。１つ以上のボタンを制御し検知するためのプリント基板、発光電子モジュール、又はディスプレイ電子モジュールなどの電子機器モジュール１０２０が、触覚フィードバックアクチュエータ１０１８とノズル１００２の前面との間に位置している。伝達板１０２２が触覚フィードバックアクチュエータ１０１８に連結され、電子機器モジュール１０２０の周りに延び、ノズル１００２の前面に触覚フィードバックを提供する。これにより、ノズル１００２は、接触を検知している間、触覚フィードバックを前面に提供できる。
【００７４】
複数製品ノズルについて、触覚フィードバックアクチュエータ１０１８は、分配されている製品によって、異なる触覚フィードバックのパターンを提供できる。このため、ノズル１００２の前面で選択されている領域によって、異なる触覚フィードバックのパターンをノズル１００２の前面に提供し得る。例えば、複数製品ノズル１００２ｂの前面の第１の領域でボタン１００８を選択している間、触覚フィードバックアクチュエータ１０１８は第１の触覚フィードバックのパターンを提供し得る。複数製品ノズル１００２ｂの前面の第２の領域でボタン１００９を選択している間、触覚フィードバックアクチュエータ１０１８は第２の触覚フィードバックのパターンを提供し得る。
【００７５】
タッチ運転装置の他のバリエーションに対して上述の方法で触覚フィードバックを提供することは、本開示により考慮されるものである。
【００７６】
図１２は、本開示のいくつかの実施形態を実施するのに適した典型の飲料ディスペンサシステム５００を示す。図示するように、飲料ディスペンサシステム５００は、アイス冷却飲料ディスペンサとして構成されている。ドロップインアイス冷却飲料ディスペンサ、カウンタ電動式飲料ディスペンサ、リモート再循環飲料ディスペンサ、又は他のいかなる飲料ディスペンサ構造など、飲料ディスペンサの他の構造が本開示によって考慮される。
【００７７】
飲料ディスペンサシステム５００は、飲料ディスペンサ５０４を有する表部屋システム５０２及び裏部屋システム５０６を含む。飲料ディスペンサ５０４は、分配する飲料の選択を容易にするタッチスクリーンディスプレイなどのユーザインターフェース５０８を含む。ユーザインターフェース５０８は、その全体が参照によってここに含まれる、「分配装置用の製品分類化ユーザインターフェース」と題する共同所有の米国特許出願第１４／４８５，８２６号に説明するような、飲料ディスペンサ５０４でのユーザの相互作用を容易にし、及び／又はユーザのモバイル機器５５２との相互作用を介してユーザのプロフィールを受け取るための様々なスクリーンを採用し得る。ユーザインターフェース５０８は、上述の製品選択ユーザインターフェース１０２に対応するものである。
【００７８】
ユーザインターフェース５０８を介して飲料選択を受け取ると、注入ボタン５１０が、飲料ディスペンサ５０４からノズル５１４を介して選択飲料を分配するように作動し得る。例えば、注入ボタン５１０は、飲料を分配するために飲料ディスペンサ５０４を作動させるための電気機械ボタン、静電容量式タッチボタン、又はユーザによって選択可能な他のボタンであり得る。ボタンとして図示したが、注入ボタン５１０は、その代わりとして、飲料ディスペンサ５０４を作動させて飲料を分配するためのレバー又は他の機構として実施され得る。図１２に示すように、注入ボタン５１０はユーザインターフェース５０８から離間している。実施によっては、注入ボタン５１０は、ユーザインターフェース５０８において選択可能なアイコンとして実施され得るものもある。注入ボタン５１０は、上述のＴＴＰユーザインターフェース１０４に対応するものである。
【００７９】
実施によっては、飲料ディスペンサは、アイスレバー５１４をも含み得る。アイスレバー５１４は、作動されると、飲料ディスペンサ５０４にアイスシュート（不図示）によって氷を分配させ得る。カウンタ電動式飲料ディスペンサ又はリモート再循環飲料ディスペンサなどのアイス容器のない飲料ディスペンサについては、アイスレバー５１４は省略され得る。
【００８０】
飲料ディスペンサ５０４は、主要ドア５１６及び成分ドア５１８を介して保護され得る。主要ドア５１６及び成分ドア５１８は、１つ以上の錠によって保護され得る。実施によっては、錠はロック及びキーである。実施によっては、成分ドア５１８の錠は、認可された成分パッケージ５２８を読み取るＲＦＩＤリーダ（不図示）を介して開けられ得る。主要ドア５１６は、１つ以上のコントローラ５２０を含む飲料ディスペンサ５０４の電子部品を保護し得る。成分ドア５１８は、成分マトリクス５２４を収容する成分室を保護し得る。
【００８１】
成分マトリクス５２４は、成分パッケージ５２８を受け入れる複数のスロット５２６を含む。様々な実施において、成分パッケージ５２８はマイクロ成分カートリッジであり得る。マイクロ成分カートリッジは、いずれもその全体がここに参照によって含まれる「飲料ディスペンサ容器及びカートン」と題する共同所有の米国特許出願第１４／２０９，６８４号、及び「容器充填システム及び方法」と題する米国特許出願第１２／４９４，４２７号に説明されているような、単一カートリッジ又は二重カートリッジであり得る。図１２に示すように、成分マトリクス５２４には成分の３つの引き出しがある。１つ以上の引き出しは、引き出しに収容された成分を定期的に攪拌するためにレールに沿って前後に摺動し得る。１つ以上の固定成分塔及び／又は攪拌成分塔によるなど、成分マトリクス５２４の他の構成が可能である。
【００８２】
各成分パッケージ５２８は、ＲＦＩＤタグ、器具５３０、及び器具シール５３２を備え得る。器具シール５３２は、飲料ディスペンサ５０４に設定する前に除去され得る。設定されると、器具５３０は係合し、スロット５２６のプローブ（不図示）と成分パッケージ５２８に収容された成分との間の流体伝達をもたらし得る。成分マトリクス５２４は、１つ以上のマイクロ成分甘味料源のためなどの、１つ以上の大量マイクロ成分パッケージ５３４をも含み得る。
【００８３】
飲料ディスペンサ５０４は、水及び炭酸ガスを受け取って炭酸水を作るカーボネータ（不図示）をも含み得る。飲料ディスペンサ５０４は、冷却板など、飲料ディスペンサ５０４に含まれるか又はこれにより受け取った１つ以上の飲料成分を冷却するための１つ以上の熱交換器（不図示）をも含み得る。実施によっては、ノズル５１２を介して分配された１つ以上のマイクロ成分は、熱交換機を介して冷却されないか、又は他の方法で周囲温度に保持されるものもある。ノズル５１２を介して分配されたマクロ成分は、典型では、分配される前に熱交換機を介して冷却される。
【００８４】
裏部屋システム５０６は、典型では、取引場所の保管領域など、表部屋システム５０２から離間した裏側の部屋に位置している。裏部屋システム５０６は、普通水の加圧源を提供する地方自治体の上水道などの水源５３６を含む。水源５３６を介して受け取った水は、水処理システム５３８によって濾過されるか又は他の方法で処理され得る。処理された水は、任意選択により、水ブースタ５４０によって所望の圧力まで加圧され、飲料ディスペンサに供給される。炭酸ガス源５４２は、飲料ディスペンサ５０４に炭酸ガスを供給し得る。
【００８５】
裏部屋には、１つ以上のマクロ成分源５４４が配置され得る。各マクロ成分源５４４からのマクロ成分は、ポンプ５４６を介して飲料ディスペンサ５０４に供給され得る。ポンプ５４６は、制御されたギアポンプ、ダイアフラムポンプ、ＢＩＢポンプ、又は飲料ディスペンサ５０４にマクロ成分を供給するのに適した他のいかなるポンプでもあり得る。裏部屋システム５０６は、予備のマイクロ成分用の１つ以上の貯蔵場所５４８及び予備のマクロ成分用の１つ以上の貯蔵場所５５０を有する棚をも含み得る。
【００８６】
飲料ディスペンサ５０４は、表部屋又は裏部屋において機器と直接通信するため、ローカルエリアネットワーク（ＬＡＮ）で表部屋又は裏部屋において機器と通信するため、又は広域ネットワーク（ＷＡＮ）通信を介して飲料ディスペンサシステム５００を備えた場所から離間した機器と通信するための、１つ以上のネットワークインターフェースを含み得る。例えば、飲料ディスペンサ５０４は、近距離無線通信（ＮＦＣ）モジュール、BLUETOOTHモジュール、Wi-Fiモジュール、セルラーモデム、イーサネットモジュール等などのネットワーク機器を含み得る。飲料ディスペンサ５０４は、ユーザのモバイル機器５５２又は店頭（ＰＯＳ）機器５５４を用いて直接通信によるか又はＬＡＮを介して通信し、飲料ディスペンサ５０４を構成するためにユーザの飲料選択又はユーザプロフィールを受信し、その飲料選択又はユーザプロフィールに基づいて１つ以上の飲料を分配し得る。ユーザプロフィールは、そのユーザについて保存された好みの飲料、そのユーザのプロフィールで作成されたか又は保存された混合飲料又はブレンド飲料、及び／又は好みの栄養レベルなど１つ以上の飲料の嗜好を含み得る。飲料ディスペンサ５０４はまた、１つ以上のリモートサーバ５５８と通信するためのＷＡＮ５５６を介して通信し得るものでもあり、ソフトウェアの更新、コンテンツの更新、ユーザプロフィール、又はリモートサーバ５５８を介してなされた飲料選択を受信し得る。
【００８７】
図１３〜１５は、成分源１３０２、７０２、８０２から飲料ディスペンサ５０４のノズル５１２までのポンプ装置又は計量装置を有する典型の流体回路１３００、７００、８００を示す。飲料ディスペンサ５０４は、図１３〜１５に示す流体回路をいずれも含まないか、１つを含むか、又は複数を含み得る。飲料ディスペンサ５０４は、各成分源毎に図１３〜１５に示す流体回路の１つを含み得る。
【００８８】
図１３は、本開示のいくつかの実施形態を実施するのに適した容積式ポンプ１３１０を有する典型の流体回路１３００を示す。流体回路１３００は、成分源１３０２からノズル５１２までの流路を提供する。成分源１３０２は、飲料ディスペンサ５０４の成分マトリクス５２４に収容されたマイクロ成分源又はマクロ成分源であり得るものであり、表部屋の飲料ディスペンサ５０４から離間しているか（例えば、飲料ディスペンサ５０４の近隣、又は飲料ディスペンサ５０４が位置するカウンタの下）、又は裏部屋に位置している。容積式ポンプ１３１０は、成分源１３０２からノズル５１２までの成分の所定の容積又は流量を計量し得る。容積式ポンプ１３１０は、ピストンポンプ、制御ギアポンプ、蠕動ポンプ、転頭ポンプ（nutating pump）、ダイアフラムポンプ、又はポンプの各サイクルで流体の流量の固定容積を計量するためのこのような他の容積式ポンプであり得る。
【００８９】
流体回路１３００は、任意選択により、成分源１３０２が空である時を検知するための完売センサ１３０４を含み得る。成分源１３０２が飲料ディスペンサ５０４から離れて位置している場合、流体回路１３００は任意選択により、飲料ディスペンサ５０４に飲料成分を加圧供給する補助ポンプ１３０６をも含み得る。飲料ディスペンサ５０４の内部又はすぐ近くにおいて、流体回路１３００は、容積式ポンプ１３１０の注入口が飲料成分の低圧供給又は無圧供給を受けるような圧力調整器１３０８を含み得る。流体回路１３００は、任意選択により、成分を分配しない時に飲料成分がノズル５１２から滴下するのを防ぐために閉じたままであるように構成された遮断バルブ１３１２をも含み得る。
【００９０】
図７は、本開示のいくつかの実施形態を実施するのに適した静的機械式流量制御７０８を有する典型の流体回路７００を示す。静的機械式流量制御７０８は、成分源７０２から加圧された飲料成分を受け取り、一定の流量の飲料成分をノズル５１２に提供する。静的機械式流量制御７０８は、静的機械式流量制御７０８の流量を設定する止めねじによって調整され得る。静的機械式流量制御７０８の下流にある遮断バルブ７１０は、ノズル５１２から飲料成分を分配するか又は分配を妨げるために開閉するように作動され得る。
【００９１】
成分源７０２は、飲料ディスペンサ５０４の成分マトリクス５２４に収容されたマイクロ成分源又はマクロ成分源であり得るものであり、表部屋の飲料ディスペンサ５０４から離間しているか（例えば、飲料ディスペンサ５０４の近く又は飲料ディスペンサ５０４が位置するカウンタの下）、又は裏部屋に位置している。成分源７０２は、地方自治体の上水道５３６又は加圧された他の成分源でもあり得る。成分源７０２が加圧されていない場合、流体回路７００は、成分源７０２から飲料成分を加圧するためのポンプ７０６を含み得る。ポンプ７０６は、ＢＩＢポンプ、ＣＯ２駆動ポンプ、制御ギアポンプ、又は容積式ポンプなど、成分源７０２からの飲料成分を加圧するのに適したいかなるポンプでもあり得る。流体回路７００は、任意選択により、成分源７０２が空である時を検知するための完売センサ７０４をも含み得る。
【００９２】
図８は、本開示のいくつかの実施形態を実施するのに適した動的機械式流量制御８０８、流量計８１０、及び遮断バルブ８１２を有する典型の流体回路８００を示す。動的機械式流量制御８０８は、成分源８０２から加圧された飲料成分を受け取り、ノズル５１２に調整可能な流量の飲料成分を提供する。動的機械式流量制御８０８は、１つ以上のコントローラ５２０によって提供された制御信号に基づき、ノズル５１２に供給された飲料成分の流量を動的に変更するように調整する可変サイズの穴部を含み得る。動的機械式流量制御８０８の下流にある流量計８１０は、動的機械式流量制御８０８によって供給されている飲料成分の流量を測定し、可変サイズの穴部を制御するために動的機械式流量制御８０８にフィードバックループを提供する。動的機械式流量制御８０８の下流にある遮断バルブ８１２は、ノズル５１２から飲料成分を分配するか又は分配を妨げるために開閉するように作動され得る。
【００９３】
成分源８０２は、飲料ディスペンサ５０４の成分マトリクス５２４に収容されたマイクロ成分源又はマクロ成分源であり得るものであり、表部屋の飲料ディスペンサ５０４から離間しているか（例えば、飲料ディスペンサ５０４の近く、又は飲料ディスペンサ５０４が位置するカウンタの下）、又は裏部屋に位置している。成分源８０２はまた、地方自治体の上水道５３６又は他の加圧された成分源でもあり得る。成分源８０２が加圧されていない場合、流体回路８００は、成分源８０２からの飲料成分を加圧するためのポンプ８０６を含み得る。ポンプ８０６は、ＢＩＢポンプ、ＣＯ２駆動ポンプ、制御ギアポンプ、又は容積式ポンプなど、成分源８０２からの飲料成分を加圧するのに適したいかなるポンプでもあり得る。流体回路８００は、任意選択により、成分源８０２が空である時を検知するための完売センサ８０４をも含み得る。
【００９４】
図１３〜１５において、流体回路１３００、７００、８００の構成要素を特定の順序で示したが、上述の構成要素のいかなる順序も使用し得る。例えば、遮断バルブ８１２は流量計８１０の上流にあり得る。他のバリエーションが当業者によって容易に理解できる。また、１つ以上の熱交換器（不図示）が、図１３〜１５の流体回路においていかなる位置においても使用可能であり得る。熱交換機は、氷の容器、水槽、冷却板、又はリモート再循環システムを含み得る。
【００９５】
図１６は、本開示のいくつかの実施形態を実施するのに適した、単一の成分源９０２からノズル５１２までの複数の個別制御経路を有する典型の流体回路９００を示す。流体回路９００は、個別制御経路のそれぞれに飲料成分を供給するマニホールド９０４を含む。各経路は、成分源９０２からノズル５１２まで飲料成分を供給するためのポンプ装置又は計量装置９０６、９０８、９１０を含む。ポンプ装置又は計量装置９０６、９０８、９１０は、図１３〜１５に示す流体回路１３００、７００、８００のいずれかとして構成され得る。成分源９０２からノズル５１２まで多数の独立した経路を有することにより、ポンプ装置又は計量装置９０６、９０８、９１０のいずれか１つを使用するよりも、より広い範囲の流量が可能である。例えば、成分源からの飲料成分の第１の流量に対して、ポンプ装置又は計量装置９０６、９０８、９１０のうち１つのみが作動し得る。成分源からの飲料成分の第２の流量に対しては、複数のポンプ装置又は計量装置９０６、９０８、９１０が作動し得る。
【００９６】
図１７は、本開示のいくつかの実施形態を実施するのに適した飲料ディスペンサ５０４を制御するのに使用し得る制御アーキテクチャ１７００の典型のブロック図を示す。図１７に示すように、制御アーキテクチャ１７００は、主要ディスペンサモジュール（ＣＤＭ）１７０６、ヒューマンマシンインターフェース（ＨＭＩ）モジュール１７０４、ユーザインターフェース（ＵＩ）１７０２、及びマシンバス（ＭＢＵＳ）１７０５を備え得る。ＨＭＩ１７０４は、飲料ディスペンサ５０４の外部にある少なくとも１つの外部装置（例えば、モバイル機器５５２又はＰＯＳ５５４）と接続されるか、又は別の方法としてインターフェースで連結して通信し得る。ＨＭＩ１７０４はまた、ＵＩ１７０２のディスプレイスクリーンをも制御し、更新し得る。ＣＤＭ１７０６は、レシピに従って飲料ディスペンサ５０４の複数のポンプ及び／又はバルブ１７１０からの流量を制御し、飲料ディスペンサ５０４からの製品（例えば、飲料）を混合し分配する。
【００９７】
飲料成分（例えば、マイクロ成分、マクロ成分、及び／又は希釈剤）が組み合わされ、飲料ディスペンサ５０４から飲料又はブレンドされた飲料（即ち、完成飲料製品）を含み得る様々な製品を分配し得る。しかし、飲料ディスペンサ５０４はまた、飲料成分を個々に分配するようにも構成され得る。
【００９８】
飲料ディスペンサ５０４の制御アーキテクチャ１７００の一例が、その全体がここに参照によって含まれる２０１４年５月１日に提出された「ディスペンサ制御アーキテクチャ」と題する米国特許出願第６１／９８７，０２０号に説明され得る。ＭＢＵＳ１７０５は、１つ以上のＡＰＩコールを介したＨＭＩ１７０４とＣＤＭ１７０６との間の通信を容易にし得る。ＨＭＩ１７０４、ＭＢＵＳ１７０５、及びＣＤＭ１７０６は共通の主要構成要素を集合的に備え得るものであり、ハードウェア、又はハードウェア及びソフトウェアの組み合わせとして実施され、飲料ディスペンサ５０４におけるカスタマイズされた機能性を提供するために適応され得る。飲料ディスペンサ５０４はさらに、メモリストレージ及びプロセッサを含み得る。ＵＩ１７０２の例が、その全体が参照によってここに含まれる２０１３年９月１３日に提出された「分配装置用の製品分類化ユーザインターフェース」と題する米国特許出願第６１／８７７，５４９号に説明され得る。
【００９９】
ＵＩ１７０２は、タッチスクリーンのユーザ（例えば、ユーザ１０８）によって接触された領域を検知し得る。これに応じて、ＵＩ１７０２は、タッチスクリーンが接触された位置についてのデータをＨＭＩ１７０４に送信し得る。これに応じて、ＨＭＩ１７０４は、受信したデータを解読し、ＵＩ１７０２に異なるＵＩスクリーンを表示させるか、又はＣＤＭ１７０６にコマンドを送るかどうかを決定する。例えば、ＨＭＩ１７０４は、ユーザが飲料ブランドに対応するタッチスクリーンの一部に触れたことを決定し得る。これに応じ、ＨＭＩ１７０４は、ＣＤＭ１７０６にコマンドを送り、対応する飲料ブランドの注入の準備を整え得る。対応する飲料ブランドを注入するコマンドを受信して、例えばＴＴＰユーザインターフェース１０４への接触を検知すると、ＣＤＭ１７０６は次に、飲料ブランドを分配するのに必要とされる飲料成分について、ポンプ装置又は計量装置１７１０に１つ以上の制御バス１７０８を介してコマンドを送る。又はＨＭＩ１７０４は、ユーザが、別のスクリーンへのリクエストに対応するタッチスクリーンの一部に触れたことを決定し得る。これに応じ、ＨＭＩ１７０４は、ＵＩ１７０２に、リクエストされたスクリーンを表示させ得る。
【０１００】
実施形態によっては、飲料ディスペンサ５０４のＵＩ１７０２は、１つ以上の飲料を選択し個別に分配するのに利用され得るものもある。飲料は、ユーザによって注入が作動されている間１つ以上の選択された飲料成分が分配され続けるという連続注入運転で、又は１つ以上の所定量（例えば、一度に１オンス）の選択された飲料成分が分配されるバッチ注入運転で、飲料成分として分配され得る。ＵＩ１７０２は、飲料を選択し分配する多数の方法によって取り組まれ得る。例えば、ユーザは、接触入力によってＵＩ１７０２と相互に伝達し合い、飲料を選択して分配する１つ以上のメニューを進める。別の例として、ユーザは、飲料ディスペンサ５０４のスクリーン又は物理的なキーボード（不図示）を使用してコードで打ち込み、飲料を選択し分配する１つ以上のメニューを進める。さらに一例として、ユーザは、モバイル機器５５２上のアプリケーションのユーザインターフェースを介してＨＭＩ１７０４と相互に伝達し合い得る。
【０１０１】
タッチスクリーン及びタッチスクリーンコントローラを含み得るＵＩ１７０２は、タッチ入力の形式でユーザから様々なコマンド（即ち、消費者の入力）を受信するように構成され、上述のコマンドの受信に応じ、画像出力を作成し、及び／又は飲料ディスペンサ５０４による１つ以上の動作を（例えば、ＨＭＩ１７０４及び／又はＣＤＭ１７０６を介して）実行し得る。ＨＭＩ１７０４におけるタッチスクリーンドライバは、消費者又は顧客の入力を受信し、その後コントローラを介してＨＭＩ１７０４の運転システムに伝達され得るイベント（例えば、タッチスクリーンイベント）を発生させるように構成され得る。
【０１０２】
飲料ディスペンサ５０４は、１つ以上の外部装置（例えば、モバイル機器５５２又はＰＯＳ５５４）と通信状態にあり得る。実施形態によっては、飲料ディスペンサ５０４と外部装置との間の通信は、通信インターフェースを介した、BLUETOOTHなどの近接場無線技術、Wi-Fi、及び他の無線通信規格又は無線通信技術、又は他の有線通信規格又は有線通信技術を含むが、これに限定されないいかなる数の通信技術をも利用して達成され得る。
【０１０３】
図１８は、本開示のいくつかの実施形態を実施するのに適した典型のコンピュータシステム１１７０を示す。例えば、飲料ディスペンサ５０４の１つ以上の構成要素又はコントローラ構成要素は、コンピュータシステム１１７０として実施され得る。同様に、１つ以上の電子機器モジュールは、コンピュータシステム１１７０として実施され得る。実施によっては、ＨＭＩ１７０４及びＣＤＭ１７０６のうち一方か又は両方がコンピュータシステム１１７０として実施され得る。
【０１０４】
種々の図面に関してここに説明した論理演算が、（１）一連のコンピュータにより実施された行為又はコンピュータデバイス（例えば、図１８で説明したコンピュータデバイス）上で動作しているプログラムモジュール（即ち、ソフトウェア）として、（２）コンピュータデバイス内の相互接続した機械論理回路又は回路モジュール（即ち、ハードウェア）として、及び／又は（３）コンピュータデバイスのソフトウェア及びハードウェアの組み合わせとして、実施され得ることは理解される必要がある。このため、ここで考察した論理演算は、ハードウェア及びソフトウェアのいかなる特定の組み合わせにも限定されない。その実施は、コンピュータデバイスの性能及び他の必須条件によって決まる選択の問題である。したがって、ここに説明した論理演算は、演算、構造デバイス、行為、又はモジュールとして様々に言及される。これらの演算、構造デバイス、行為、及びモジュールは、ソフトウェア、ファームウェア、特殊な目的のデジタル論理において、及びこれらのいかなる組み合わせにおいても、実施され得る。図面に示しここに説明したものよりも多くの演算又は少ない演算が実行され得ることについても理解される必要がある。これらの演算はまた、ここに説明したものとは異なる順序で実行されることもあり得る。
【０１０５】
図１８を参照すると、本発明の実施形態が実施され得る一例のコンピュータデバイス１１７０が示されている。例えば、コンテンツソース、キーサーバ、セグメンテーションサーバ、キャッシュサーバ、及びここに説明したクライアント装置がそれぞれ、コンピュータデバイス１１７０などのコンピュータデバイスとして実施され得る。一例のコンピュータデバイス１１７０は、本発明の実施形態が実施され得るのに適したコンピュータ環境の単なる一例であることが理解される必要がある。任意選択により、コンピュータデバイス１１７０は、パーソナルコンピュータ、サーバ、携帯端末又はラップトップデバイス、マルチプロセッサシステム、マイクロプロセッサベースのシステム、ネットワークパーソナルコンピュータ（ＰＣ）、ミニコンピュータ、メインフレームコンピュータ、組み込みシステム、及び／又は上記の複数のいかなるシステム又はデバイスを含む分散コンピュータ環境を含むが、これに限定しない、周知のコンピュータシステムであることが可能である。分散コンピュータ環境は、通信ネットワーク又は他のデータ伝送媒体に接続されたリモートコンピュータデバイスが種々のタスクを実行するのを可能にする。分散コンピュータ環境において、プログラムモジュール、アプリケーション、及び他のデータは、ローカルコンピュータ記憶媒体及び／又はリモートコンピュータ記憶媒体に記憶される得る。
【０１０６】
実施形態によっては、コンピュータデバイス１１７０は、タスクを実行するのに連携する相互に通信状態にある２つ以上のコンピュータを備え得るものもある。例えば、限定するものではないが、あるアプリケーションが、そのアプリケーションの命令の並列処理及び／又は並行処理を許可するような方法でセグメント化され得る。又は、そのアプリケーションによって処理されたデータが、２つ以上のコンピュータによって設定されたデータの異なる部分の並列処理及び／又は並行処理を許可するような方法でセグメント化され得る。実施形態によっては、コンピュータデバイス１１７０におけるコンピュータの数に直接縛られない多数のサーバの機能性を提供するために、仮想化ソフトウェアがコンピュータデバイス１１７０によって採用され得るものもある。例えば、仮想化ソフトウェアは、４つの物理的なコンピュータ上で２０の仮想サーバを提供し得る。実施形態によっては、上に開示した機能性は、クラウドコンピュータ環境でアプリケーション及び／又は複数のアプリケーションを実行することにより提供され得るものもある。クラウドコンピューティングは、動的に拡張可能なコンピューティング資源を使用してネットワーク接続を介してコンピューティングサービスを提供することを含み得る。クラウドコンピューティングが、仮想化ソフトウェアによって少なくとも部分的に支持され得る。クラウドコンピュータ環境が、企業によって確立され得るものであり、及び／又はサードパーティプロバイダから必要に応じて採用し得る。クラウドコンピュータ環境の中には、サードパーティプロバイダから採用した及び／又は借りたクラウドコンピューティング資源のほか、企業によって所有され運営されるクラウドコンピューティング資源を含み得るものもある。
【０１０７】
その最も基本的な構成では、コンピュータデバイス１１７０は典型では少なくとも１つの処理装置１１０６及びシステムメモリ１１０４を含む。コンピュータデバイスの精密な構成及び種類により、システムメモリ１１０４は、揮発性（ランダムアクセスメモリ（ＲＡＭ）など）、非揮発性（読み出し専用メモリ（ＲＯＭ）、フラッシュメモリ等など）、又はこの２つのある組み合わせであり得る。この最も基本的な構成は、図１８に破線１１０２によって示されている。処理装置１１０６は、コンピュータデバイス１１７０の運転に必要な算術演算及び論理演算を実行する標準のプログラマブルプロセッサであり得る。１つの処理装置１１０６のみを図示しているが、マルチプロセッサが存在し得る。このため、プロセッサによって命令が実行されるものとして説明され得るが、その命令は、同時に、連続的に、又は他の方法で１つ以上のプロセッサによって、実行され得る。コンピュータデバイス１１７０は、コンピュータデバイス１１７０の様々な構成要素の間で情報を伝達するためのバス又は他の通信機構をも含み得る。
【０１０８】
コンピュータデバイス１１７０は、さらなる特徴／機能性を有し得る。例えば、コンピュータデバイス１１７０は、リムーバブル記憶装置１１０８及び非リムーバブル記憶装置１１１０などの追加の記憶装置を含み得るものであり、磁気ディスク、光ディスク、磁気テープ又は光学テープを含むがこれに限定されない。コンピュータデバイス１１７０は、デバイスがここに説明した通信経路によってなど他のデバイスと通信するのを可能にするネットワーク接続１１１６をも含み得る。ネットワーク接続１１１６は、モデム、モデムバンク、イーサネットカード、ユニバーサルシリアルバス（ＵＳＢ）インターフェースカード、シリアルインターフェース、トークンリングカード、光ファイバー分散データインターフェース（ＦＤＤＩ）カード、ワイヤレスローカルエリアネットワーク（ＷＬＡＮ）カード、符号分割多重アクセス（ＣＤＭＡ）などの無線トランシーバカード、グローバル・システム・フォー・モバイル・コミュニケーションズ（ＧＳＭ）、ロングタームエボリューション（ＬＴＥ）、マイクロ波アクセス（ＷｉＭＡＸ）のための世界的相互運用、及び／又は他のエアインターフェースプロトコル無線トランシーバカード、及び他の周知のネットワークデバイスの形式を取り得る。コンピュータデバイス１１７０はまた、キーボード、キーパッド、スイッチ、ダイヤル、マウス、トラックボール、タッチスクリーン、音声認識装置、カードリーダ、紙テープリーダ、又は他の周知の入力デバイスなどの入力デバイス１１１４をも有し得る。プリンタ、ビデオモニタ、液晶ディスプレイ（ＬＣＤ）、タッチスクリーンディスプレイ、ディスプレイ、スピーカー等などの出力デバイス１１１２もまた含まれ得る。追加のデバイスは、コンピュータデバイス１１７０の構成要素間のデータ通信を容易にするためにバスと接続し得る。これらのデバイスはすべて当技術において周知であり、ここで詳細に説明する必要はない。
【０１０９】
処理装置１１０６は、タンジブルコンピュータ可読媒体でエンコードされたプログラムコードを実行するように構成され得る。タンジブルコンピュータ可読媒体とは、コンピュータデバイス１１７０（即ち、機械）に特定の方法で運転させるデータを提供できるいかなる媒体にも言及するものである。様々なコンピュータ可読媒体が、実行するために処理装置１１０６に命令を送るのに利用され得る。一例のタンジブルコンピュータ可読媒体は、コンピュータ可読命令、データ構造、プログラムモジュール又は他のデータなどの情報を記憶するためのいかなる方法又は技術でも実施される揮発性媒体、非揮発性媒体、リムーバブル媒体、及び非リムーバブル媒体を含み得るが、これに限定されない。システムメモリ１１０４、リムーバブル記憶装置１１０８、及び非リムーバブル記憶装置１１１０は、タンジブルコンピュータ記憶媒体のすべての例である。一例としてのタンジブルコンピュータ可読記憶媒体は、これに限定されないが、集積回路（例えば、フィールドプログラマブルゲートアレイ又は特定用途向けＩＣ）、ハードディスク、光ディスク、光磁気ディスク、フロッピーディスク、磁気テープ、ホログラフィック記憶媒体、固体素子、ＲＡＭ、ＲＯＭ、電気的に消去可能なプログラム読み出し専用メモリ（ＥＥＰＲＯＭ）、フラッシュメモリ又は他のメモリ技術、ＣＤ−ＲＯＭ、デジタル多用途ディスク（ＤＶＤ）又は他の光学記憶装置、磁気カセット、磁気テープ、磁気ディスク記憶装置又は他の磁気記憶装置デバイスを含む。
【０１１０】
実行可能なソフトウェアをコンピュータに読み込むことによって実施可能な機能性が周知の設計ルールによってハードウェア実施に変換できることは、電気工学技術及びソフトウェア光学技術には基本的なことである。ソフトウェア対ハードウェア間で概念を実装する決定は、典型では、ソフトウェアドメインからハードウェアドメインへの変換に含まれるいかなる問題よりもむしろ製造しようとするユニットの設計及び数量の安定性の考察で決まる。一般に、ハードウェア実装のリスピンはソフトウェア設計のリスピンよりも高価であるため、頻繁な変更を受けることになる設計は、ソフトウェアに実装されるのが好まれ得る。一般に、大量に生産される安定した設計は、大量生産の運営上、ハードウェア実装はソフトウェア実装よりも安価であり得るため、例えば特定用途向け集積回路（ＡＳＩＣ）におけるように、ハードウェアに実装されることが好まれ得る。ある設計がソフトウェア形式で開発され試験され、その後、ソフトウェアの命令をハードウェアに組み込んだ特定用途向け集積回路において同等のハードウェア実装に周知の設計ルールによって変換されることが多い。新しいＡＳＩＣにより制御された機械が特定の機械又は装置であるのと同様に、プログラムされ、及び／又は実行可能な命令を読み込まれたコンピュータもまた、特定の機械又は装置としてみなされ得る。
【０１１１】
一例の実施では、処理装置１１０６は、システムメモリ１１０４に記憶されたプログラムコードを実行し得る。例えば、バスは、システムメモリ１１０４にデータを伝送し、そこから処理装置１１０６は命令を受信し実行し得る。システムメモリ１１０４によって受信したデータは、任意選択により、処理装置１１０６によって実行する前か又は後に、リムーバブル記憶装置１１０８又は非リムーバブル記憶装置１１１０に記憶され得る。
【０１１２】
ここに説明した種々の技術は、ハードウェア又はソフトウェアと関連して、又は、必要に応じてその組み合わせと関連して、実施され得ることが理解される必要がある。このため、本開示の主題の方法及び装置、又はそのある態様又は一部は、フロッピーディスク、ＣＤ−ＲＯＭ、ハードドライブ、又はコンピュータデバイスなどのプログラムコードが機械によって読み込まれ実行される際に、その機械が本開示の主題を実行する装置となる他のいかなる機械可読記憶媒体など、タンジブル媒体に一体化されたプログラムコード（即ち、命令）の形を取り得る。プログラマブルコンピュータでプログラムコードを実行する場合、コンピュータデバイスは一般に、プロセッサ、プロセッサによって読み込み可能な記憶媒体（揮発性メモリ及び非揮発性メモリ及び／又は記憶素子を含む）、少なくとも１つの入力デバイス、及び少なくとも１つの出力デバイスを含む。１つ以上のプログラムは、例えば、アプリケーション・プログラミング・インターフェース（ＡＰＩ）、再利用可能な制御等の使用によって、本開示の主題に関連して説明したプロセスを実装するか又は利用し得る。このようなプログラムは、高度な手続き型プログラミング言語又はオブジェクト指向プログラミング言語で実装され、コンピュータシステムと通信し得る。しかし、プログラムは、所望であれば、アセンブリ原語又は機械語で実装できる。いかなる場合においても、言語は、コンパイラ型言語又はインタープリタ型言語であり得るものであり、ハードウェア実装と組み合わされ得る。
【０１１３】
方法及びシステムの実施形態は、方法、システム、装置、及びコンピュータプログラム製品のブロック図及びフローチャート図についてここに説明され得る。ブロック図及びフローチャート図の各ブロック、ブロック図及びフローチャート図のブロックの組み合わせは、それぞれ、コンピュータプログラム命令によって実施可能であると理解される。これらのコンピュータプログラム命令は、一般用途のコンピュータ、特定用途のコンピュータ、又は他のプログラム可能なデータ処理装置に読み込まれ、そのコンピュータ又は他のプログラム可能なデータ処理装置で実行する命令が、フローチャートのブロック又は複数のブロックで指定された機能を実施する手段を作成するような機械を作り得る。
【０１１４】
これらのコンピュータプログラム命令はコンピュータ可読メモリにも記憶され得るものであり、コンピュータ又は他のプログラム可能なデータ処理装置に、このコンピュータ可読メモリに記憶された命令がフローチャートのブロック又は複数のブロックで指定された機能を実施するためのコンピュータ可読命令を含む製品を作るように特定の方法で機能するように指示できる。このコンピュータプログラム命令はまた、コンピュータ又は他のプログラム可能なデータ処理装置にも読み込まれ、一連の動作工程をそのコンピュータ又は他のプログラム可能な装置で実行させ、そのコンピュータ又は他のプログラム可能な装置で実行する命令が、フローチャートのブロック又は複数のブロックで指定された機能を実施する工程を提供するようなコンピュータ実施プロセスを作る。
【０１１５】
したがって、ブロック図及びフローチャート図のブロックは、特定の機能を実施する手段の組み合わせ、特定の機能を実行する工程の組み合わせ及び特定の機能を実施するプログラム命令手段を支持するものである。ブロック図及びフローチャート図の各ブロック、及びブロック図及びフローチャート図におけるブロックの組み合わせは、特定の機能又は工程、又は特定の目的のハードウェア及びコンピュータ命令の組み合わせを実行する特定の目的のハードウェアベースのコンピュータシステムによって実施可能であることも理解される。
【０１１６】
本開示においていくつかの実施形態を提供したが、開示のシステム及び方法は、本開示の趣旨又は範囲から逸脱することなく多数の他の特定の形式に統合され得るものであることは理解される必要がある。本例は、例示的なものであり限定するものではないことが考慮され、その目的は、ここに提供した詳細に限定されるものではない。例えば、様々な要素又は構成要素が別のシステムにおいて組み合わされるか又は一体化されるか、又はある特徴が省略されるか又は実施されないこともあり得る。
【０１１７】
本開示を通して提供した種々の実施形態及び例において、製品ディスペンサは、飲料ディスペンサ又は他の食品ディスペンサであり得る。タッチ注入ユーザインターフェースは製品ディスペンサと関連付けて本開示を通して説明されているが、触覚フィードバックユーザインターフェースは、装置の運転中にユーザがユーザインターフェースとの接触を維持すると思われるその装置のためのいかなるユーザインターフェースとも共に使用可能である。さらに、触覚フィードバックユーザインターフェースは、その装置の運転モードによって、そのユーザインターフェースに提供される触覚フィードバックのパターンを適応できる。例えば、触覚フィードバックユーザインターフェースは、第１の運転モードのための第１の触覚フィードバックのパターン及び第２の運転モードのための第２の触覚フィードバックのパターンを提供可能である。したがって、本明細書を通して説明したタッチ注入ユーザインターフェースは、タッチ運転ユーザインターフェースであると考慮し得るものであり、製造ディスペンサは、簡単に言えば、タッチ運転ユーザインターフェースへの接触を検知すると作動するように構成された装置として考慮され得る。
【０１１８】
また、種々の実施形態に個々のものとして即ち別々のものとして説明し図示した技術、システム、サブシステム、及び方法は、本開示の範囲から逸脱することなく他のシステム、モジュール、技術、又は方法と組み合わされるか又は一体化され得る。相互に直接に連結されるか又は通信するものとして図示し又は説明した他の項目は、電気的、機械的、又はそのほかの方法に関わらず、いくつかのインターフェース、装置、又は中間構成要素を介して間接的に連結されるか又は通信し得る。変更、代替、及び修正の他の例は、当業者によって確定可能であり、ここに開示した趣旨及び範囲から逸脱することなくなされ得るものである。
【図１】
2021503136.tif 000003
【図２】
2021503136.tif 000004
【図３】
2021503136.tif 000005
【図４】
2021503136.tif 000006
【図５】
2021503136.tif 000007
【図６】
2021503136.tif 000008
【図７】
2021503136.tif 000009
【図８】
2021503136.tif 000010
【図９】
2021503136.tif 000011
【図１０】
2021503136.tif 000012
【図１１】
2021503136.tif 000013
【図１２】
2021503136.tif 000014
【図１３】
2021503136.tif 000015
【図１４】
2021503136.tif 000016
【図１５】
2021503136.tif 000017
【図１６】
2021503136.tif 000018
【図１７】
2021503136.tif 000019
【図１８】
2021503136.tif 000020
【手続補正書】
【提出日】令和1年5月6日(2019.5.6)
【手続補正１】
【補正対象書類名】特許請求の範囲
【補正対象項目名】全文
【補正方法】変更
【補正の内容】
【特許請求の範囲】
【請求項１】
製品ディスペンサのある面の第１の領域での選択を検知するように構成されたタッチセンサと、
前記面に連結され、前記タッチセンサが前記面の前記第１の領域での前記選択を検知している間、前記面にある触覚フィードバックのパターンを生じさせるように構成された触覚フィードバック変換器と、
前記タッチセンサが前記面の前記第１の領域での前記選択を検知している間、製品を分配するように構成されたノズルとを備える製品ディスペンサ。
【請求項２】
前記製品ディスペンサから分配される前記製品の選択を受信するように構成されたユーザインターフェースをさらに備える請求項１に記載の製品ディスペンサ。
【請求項３】
前記ユーザインターフェースが、タッチスクリーンディスプレイ、ボタン、又はレバーのうちの１つであり、前記タッチスクリーンにより前記製品のアイコンの選択が検知されると前記分配される製品の前記選択が受信され、前記ボタンが押圧されると前記分配される製品の前記選択が受信され、前記レバーを係合すると前記分配する製品の前記選択が受信される請求項２に記載の製品ディスペンサ。
【請求項４】
前記触覚フィードバックのパターンが前記製品に基づいている請求項２に記載の製品ディスペンサ。
【請求項５】
前記触覚フィードバック変換器が、第２の製品に対して前記面に第２の触覚フィードバックのパターンを生じさせるように構成された請求項４に記載の製品ディスペンサ。
【請求項６】
前記製品ディスペンサのフレームに連結された後方カバーと、
前記後方カバーに連結され、前記触覚フィードバック変換器と前記面との間に配置されたプリント基板と、
前記触覚フィードバック変換器と前記面との間に連結され、前記触覚フィードバックのパターンを前記触覚フィードバック変換器から前記面に伝達するように構成された伝達板とを備える触覚フィードバックモジュールをさらに備え、前記伝達板が前記後方カバー又はプリント基板に接触していない請求項１〜５のいずれか一項に記載の製品ディスペンサ。
【請求項７】
前記プリント基板が前記プリント基板から前記後方カバーまで延びるボスと連結され、前記伝達板が前記ボスが通って延びる開口部を備える請求項６に記載の製品ディスペンサ。
【請求項８】
前記面が、前記後方カバーに対して動けるように前記後方カバーに連結されている請求項７に記載の製品ディスペンサ。
【請求項９】
前記面と前記後方カバーとの間に可撓性シールをさらに備える請求項８に記載の製品ディスペンサ。
【請求項１０】
前記ユーザインターフェースが前記面上にある請求項２又は３に記載の製品ディスペンサ。
【請求項１１】
前記ユーザインターフェースが、前記面から物理的に離間している請求項２又は３に記載の製品ディスペンサ。
【請求項１２】
前記製品ディスペンサの前記面の第２の領域での選択を検知するように構成された第２のタッチセンサをさらに備え、前記触覚フィードバック変換器が、前記タッチセンサ又は前記第２のタッチセンサが前記面の前記第１の領域又は第２の領域での選択を検知している間、前記面に前記触覚フィードバックのパターンを生じさせるように構成された請求項１〜５のいずれか一項に記載の製品ディスペンサ。
【請求項１３】
前記製品ディスペンサの前記面の第２の領域での選択を検知するように構成された第２のタッチセンサをさらに備え、前記触覚フィードバック変換器が、前記第２のタッチセンサが前記面の前記第２の領域での選択を検知している間、前記面に第２の触覚フィードバックのパターンを生じさせるように構成された請求項１〜５のいずれか一項に記載の製品ディスペンサ。
【請求項１４】
後方カバーと、
後方カバーに連結されて筐体を形成する前方カバーであって、前記前方カバーがこれらの間で相対的に動けるように前記後方カバーに連結されている前記前方カバーと、
前記後方カバーに連結され、アクチュエータを含む触覚フィードバック変換器と、
ボスによって前記後方カバーと連結され、前記前方カバーと前記アクチュエータとの間に配置された電子機器モジュールと、
前記触覚フィードバック変換器の前記アクチュエータに連結され、前記前方カバーに連結され、前記ボスがこれを通って延びる開口部を備える伝達板とを備える触覚フィードバックユーザインターフェース。
【請求項１５】
前記前方カバーが、前記電子機器モジュールを過ぎて前記後方カバーに向かって延びるフランジを備え、前記伝達板が前記前方カバーの前記フランジに連結された請求項１４に記載の触覚フィードバックユーザインターフェース。
【請求項１６】
前記電子機器モジュールがディスプレイである請求項１５に記載の触覚フィードバックユーザインターフェース。
【請求項１７】
前記前方カバーが、これを通して前記ディスプレイを見るためにこの中に配置された透明な面を有する開口部を備える請求項１６に記載の触覚フィードバックユーザインターフェース。
【請求項１８】
前記透明な面に連結され、前記透明な面の接触を検知するように構成されたタッチセンサをさらに備える請求項１７に記載の触覚フィードバックユーザインターフェース。
【請求項１９】
前記タッチセンサが、静電容量式タッチセンサ、抵抗タッチセンサ、又はひずみゲージのうちの１つである請求項１８に記載の触覚フィードバックユーザインターフェース。
【国際調査報告】
2021503136.tif 000021
2021503136.tif 000022
2021503136.tif 000023